(57)【特許請求の範囲】
【請求項１】
無線ネットワークに接続された第１のインタフェース手段と、
前記第１のインタフェース手段を介して通信可能な前記無線ネットワーク上に存在する無線ノードから、該無線ノード内に登録されているサービス機能に関する情報または該無線ノード内の構成要素に関する構成情報の少なくとも一方を含む無線ノード情報の少なくとも一部の情報を前記無線ノードからの自己紹介信号によって受信する無線ノード情報受信手段と、
前記無線ノード情報受信手段により受信した無線ノード情報の少なくとも一部の情報を記憶する無線ノード情報記憶手段と、
前記無線ノード情報記憶手段において記憶している無線ノード情報の少なくとも一部の情報を開示する無線ノード情報開示手段とを備えたことを特徴とする無線端末。
【請求項２】
前記無線ノード情報開示手段は、前記無線ノード情報記憶手段において記憶している無線ノード情報の少なくとも一部の情報を、自無線端末内のディスプレイに画面表示することにより開示することを特徴とする請求項１に記載の無線端末。
【請求項３】
前記第１のインタフェース手段を介して通信可能な前記無線ネットワーク上に存在する無線ノードに対し、前記無線ノード情報の少なくとも一部の情報の開示を要求する無線ノード情報開示要求手段をさらに備えたことを特徴とする請求項１または２に記載の無線端末。
【請求項４】
前記第１のインタフェース手段を介して通信可能な前記無線ネットワーク上に存在すると認識されている無線ノードの中から、実際に通信を行う無線ノードを選択するための無線ノード選択手段をさらに備えたことを特徴とする請求項１ないし３のいずれか１項に記載の無線端末。
【請求項５】
前記第１のインタフェース手段を介して通信可能な前記無線ネットワーク上に存在すると認識されている無線ノードに、所定の優先度を付加するための無線ノード優先度決定手段と、
前記無線ノード優先度決定手段によって決定された優先度に従って、前記無線ノードの無線ノード情報の少なくとも一部を開示する無線ノード情報開示手段とをさらに備えたことを特徴とする請求項１ないし４のいずれか１項に記載の無線端末。
【請求項６】
前記一部の情報とは、コンテンツ情報、ディレクトリ情報及びチャネル情報のうちの少なくとも１つの情報を含むことを特徴とする請求項１ないし５のいずれか１項に記載の無線端末。
【請求項７】
無線ネットワークに接続された第１のインタフェース手段と、
前記無線ネットワークとは別のネットワークに接続された第２のインタフェース手段と、
前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集／記憶するノード情報収集／記憶手段と、
前記第１のインタフェース手段を介して、前記ノード情報収集／記憶手段によって記憶しているノード情報の少なくとも一部の情報を、前記無線ネットワークに対して送出している自己紹介信号によって、前記無線ネットワーク上の無線端末に開示するノード情報開示手段とを備えたことを特徴とする無線ノード。
【請求項８】
前記一部の情報とは、コンテンツ情報、ディレクトリ情報及びチャネル情報のうちの少なくとも１つの情報を含むことを特徴とする請求項７に記載の無線ノード。
【請求項９】
無線ネットワークに接続された第１のインタフェース手段と、
前記無線ネットワークとは別のネットワークに接続された第２のインタフェース手段と、
前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集／記憶するノード情報収集／記憶手段と、
前記第１のインタフェース手段を介して、前記無線ネットワーク上に存在する他の無線ノード内に登録されているサービス機能に関する情報または該他の無線ノード内の構成要素に関する構成情報の少なくとも一方を含む無線ノード情報の少なくとも一部の情報を収集／記憶する無線ノード情報収集／記憶手段と、
前記第１のインタフェース手段を介して、前記ノード情報収集／記憶手段によって記憶しているノード情報もしくは前記無線ノード情報収集／記憶手段によって記憶している無線ノード情報のうちの少なくとも一部の情報を、前記無線ネットワーク上の無線端末もしくは他の無線ノードに開示するノード情報開示手段とを備えたことを特徴とする無線ノード。
【請求項１０】
前記第１のインタフェース手段を介して、前記第１のネットワーク上に存在する他の無線ノードに対して、該他の無線ノード内に登録されているサービス機能に関する情報または該他の無線ノード内の構成要素に関する構成情報の少なくとも一方を含む無線ノード情報の少なくとも一部の情報の開示を要求する無線ノード情報開示要求手段をさらに備えたことを特徴とする請求項９に記載の無線ノード。
【請求項１１】
前記無線ノード情報開示手段は、前記ノード情報収集／記憶手段において記憶している前記ノード情報もしくは前記無線ノード情報収集／記憶手段において記憶している前記無線ノード情報の少なくとも一部の情報を、前記無線ネットワーク上の無線端末もしくは他の無線ノードからの要求に従って開示することを特徴とする請求項９または１０に記載の無線ノード。
【請求項１２】
前記ノード情報開示手段は、前記ノード情報収集／記憶手段において記憶している前記ノード情報もしくは前記無線ノード情報収集／記憶手段において記憶している前記無線ノード情報の少なくとも一部の情報を、前記無線ネットワーク上の全ての無線端末に同報的に通知することを特徴とする請求項９または１０に記載の無線ノード。
【請求項１３】
前記無線ネットワーク上においてＡＶ／Ｃプロトコルを実行するＡＶ／Ｃプロトコル実行手段と、
前記無線ネットワークとは別のネットワーク上においてＨＡＶｉプロトコルを実行するＨＡＶｉプロトコル実行手段と、
前記無線ネットワークとは別のネットワーク上のノード内に登録されているサービス機能に関する情報または該ノード内の構成要素に関する構成情報の少なくとも一方を含むノード情報に対応する、前記ＨＡＶｉプロトコルで定義されるレジストリ情報から、該レジストリ情報に対応する、前記ＡＶ／Ｃプロトコルで定義されるＳｕｂＵｎｉｔ情報を作成する機能と、前記無線ネットワーク上の無線ノード内に登録されているサービス機能に関する情報または該無線ノード内の構成要素に関する構成情報の少なくとも一方を含む無線ノード情報に対応する、前記ＡＶ／Ｃプロトコルで定義されるＳｕｂＵｎｉｔ情報から、該ＳｕｂＵｎｉｔ情報に対応する、前記ＨＡＶｉプロトコルで定義されるレジストリ情報を作成する機能とのうち、少なくとも一方の機能を有するレジストリ／ＳｕｂＵｎｉｔ情報作成手段をさらに備えたことを特徴とする請求項９ないし１２のいずれか１項に記載の無線ノード。
【請求項１４】
前記無線ネットワークとは別のネットワーク上のノード内に登録されているサービス機能に関する情報または該ノード内の構成要素に関する構成情報の少なくとも一方を含むノード情報に対応する、前記ＨＡＶｉプロトコルで定義されるレジストリ情報と、該レジストリ情報から前記レジストリ／ＳｕｂＵｎｉｔ情報作成手段によって作成されたＳｕｂＵｎｉｔ情報との対応関係を記憶する機能と、前記無線ネットワーク上の無線ノード内に登録されているサービス機能に関する情報または該無線ノード内の構成要素に関する構成情報の少なくとも一方を含む無線ノード情報に対応する、前記ＡＶ／Ｃプロトコルで定義されるＳｕｂＵｎｉｔ情報と、該ＳｕｂＵｎｉｔ情報から前記レジストリ／ＳｕｂＵｎｉｔ情報作成手段によって作成されたレジストリ情報との対応関係を記憶する機能とのうち、少なくとも一方の機能を有するレジストリ／ＳｕｂＵｎｉｔ情報記憶手段をさらに備えたことを特徴とする請求項１３に記載の無線ノード。
【請求項１５】
前記無線ネットワークとは別のネットワーク上のノードを制御するための、前記ＨＡＶｉプロトコルで定義される制御画面情報を、前記無線ネットワーク上で実行されているＡＶ／Ｃプロトコルによって認識可能な制御画面情報に変換する機能と、前記無線ネットワーク上の無線ノードを制御するための、前記ＡＶ／Ｃプロトコルで定義される制御画面情報を、前記無線ネットワークとは別のネットワーク上で実行されているＨＡＶｉプロトコルによって認識可能な制御画面情報に変換する機能とのうち、少なくとも一方の機能を有する制御画面情報変換手段とをさらに備えたことを特徴とする請求項１３または１４に記載の無線ノード。
【請求項１６】
前記無線ネットワークとは別のネットワーク上のノードを制御するための、前記ＨＡＶｉプロトコルで定義される制御コマンドを、該制御コマンドに対応する、前記無線ネットワーク上で実行されているＡＶ／Ｃプロトコルで定義される制御コマンドに変換する機能と、前記無線ネットワーク上の無線ノードを制御するための、前記ＡＶ／Ｃプロトコルで定義される制御コマンドを、該制御コマンドに対応する、前記無線ネットワークとは別のネットワーク上で実行されているＨＡＶｉプロトコルで定義される制御コマンドに変換する機能とのうち、少なくとも一方の機能を有するコマンド変換手段とをさらに備えたことを特徴とする請求項１３ないし１５のいずれか１項に記載の無線ノード。
【請求項１７】
前記一部の情報とは、コンテンツ情報、ディレクトリ情報及びチャネル情報のうちの少なくとも１つの情報を含むことを特徴とする請求項９ないし１６のいずれか１項に記載の無線ノード。
【請求項１８】
無線ネットワークに接続された第１のインタフェース手段を備えた無線端末における通信制御方法であって、
前記第１のインタフェース手段を介して通信可能な前記無線ネットワーク上に存在する無線ノードから、該無線ノード内に登録されているサービス機能に関する情報または該無線ノード内の構成要素に関する構成情報の少なくとも一方を含む無線ノード情報の少なくとも一部の情報を前記無線ノードからの自己紹介信号によって受信するステップと、
前記第１のインタフェース手段を介して受信した無線ノード情報の少なくとも一部の情報を記憶手段に記憶するステップと、
前記記憶手段に記憶されている無線ノード情報の少なくとも一部の情報を開示するステップとを有することを特徴とする通信制御方法。
【請求項１９】
前記記憶手段に記憶されている無線ノード情報の少なくとも一部の情報を、自無線端末内のディスプレイに画面表示することにより開示することを特徴とする請求項１８に記載の通信制御方法。
【請求項２０】
前記第１のインタフェース手段を介して通信可能な前記無線ネットワーク上に存在する無線ノードに対し、前記無線ノード情報の少なくとも一部の情報の開示を要求するステップを更に有することを特徴とする請求項１８または１９に記載の通信制御方法。
【請求項２１】
前記第１のインタフェース手段を介して通信可能な前記無線ネットワーク上に存在すると認識されている無線ノードの中から、実際に通信を行う無線ノードを選択するステップを更に有することを特徴とする請求項１８ないし２０のいずれか１項に記載の通信制御方法。
【請求項２２】
前記第１のインタフェース手段を介して通信可能な前記無線ネットワーク上に存在すると認識されている無線ノードに、所定の優先度を付加するステップと、
前記無線ノード優先度決定手段によって決定された優先度に従って、前記無線ノードの無線ノード情報の少なくとも一部を開示するステップとを更に有することを特徴とする請求項１８ないし２１のいずれか１項に記載の通信制御方法。
【請求項２３】
前記一部の情報とは、コンテンツ情報、ディレクトリ情報及びチャネル情報のうちの少なくとも１つの情報を含むことを特徴とする請求項１８ないし２２のいずれか１項に記載の通信制御方法。
【請求項２４】
無線ネットワークに接続された第１のインタフェース手段と、前記無線ネットワークとは別のネットワークに接続された第２のインタフェース手段とを備えた無線ノードにおける通信制御方法であって、
前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集し、記憶手段に記憶するステップと、
前記第１のインタフェース手段を介して、前記記憶手段に記憶されているノード情報の少なくとも一部の情報を、前記無線ネットワークに対して送出している自己紹介信号によって、前記無線ネットワーク上の無線端末に開示するステップとを有することを特徴とする通信制御方法。
【請求項２５】
前記一部の情報とは、コンテンツ情報、ディレクトリ情報及びチャネル情報のうちの少なくとも１つの情報を含むことを特徴とする請求項２４に記載の通信制御方法。
【請求項２６】
無線ネットワークに接続された第１のインタフェース手段と、前記無線ネットワークとは別のネットワークに接続された第２のインタフェース手段とを備えた無線ノードにおける通信制御方法であって、
前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集し、第１の記憶手段に記憶するステップと、
前記第１のインタフェース手段を介して、前記無線ネットワーク上に存在する他の無線ノード内に登録されているサービス機能に関する情報または該他の無線ノード内の構成要素に関する構成情報の少なくとも一方を含む無線ノード情報の少なくとも一部の情報を収集し、第２の記憶手段に記憶するステップと、
前記第１のインタフェース手段を介して、前記第１の記憶手段に記憶されているノード情報もしくは前記第２の記憶手段に記憶されている無線ノード情報のうちの少なくとも一部の情報を、前記無線ネットワーク上の無線端末もしくは他の無線ノードに開示するステップとを有することを特徴とする通信制御方法。
【請求項２７】
前記第１のインタフェース手段を介して、前記第１のネットワーク上に存在する他の無線ノードに対して、該他の無線ノード内に登録されているサービス機能に関する情報または該他の無線ノード内の構成要素に関する構成情報の少なくとも一方を含む無線ノード情報の少なくとも一部の情報の開示を要求するステップを更に有することを特徴とする請求項２６に記載の通信制御方法。
【請求項２８】
前記第１の記憶手段に記憶されている前記ノード情報もしくは前記第２の記憶手段に記憶されている前記無線ノード情報の少なくとも一部の情報を、前記無線ネットワーク上の無線端末もしくは他の無線ノードからの要求に従って開示することを特徴とする請求項２６または２７に記載の通信制御方法。
【請求項２９】
前記第１の記憶手段に記憶されている前記ノード情報もしくは前記第２の記憶手段に記憶されている前記無線ノード情報の少なくとも一部の情報を、前記無線ネットワーク上の全ての無線端末に同報的に通知することを特徴とする請求項２６ないし２８のいずれか１項に記載の通信制御方法。
【請求項３０】
前記一部の情報とは、コンテンツ情報、ディレクトリ情報及びチャネル情報のうちの少なくとも１つの情報を含むことを特徴とする請求項２６ないし２９のいずれか１項に記載の通信制御方法。
【発明の詳細な説明】
【０００１】
【発明の属する技術分野】
本発明は、ある無線ネットワークとそれとは別の例えば有線ネットワークがいくつか融合した環境で運用されるネットワークシステムにおける無線端末及び無線ノードに係わり、特に、ある無線ネットワークとは別のネットワーク上で提供されるサービス等がネットワーク毎に各々異なっている場合に無線ネットワーク上でのパケット送信先の無線ノードの選択を行う無線端末及び無線ノード並びに通信制御方法に関する。
【０００２】
【従来の技術】
近年、家庭内のネットワーク化が注目を浴びるようになってきたが、このような観点は従来からあり、特に、ホームセキュリティーをターゲットとしたホームネットワークとして、ＣＥＢｕｓやＬＯＮ等の標準規格が既に提案されている。さらに、ＡＶ（Ａｕｄｉｏ  Ｖｉｓｕａｌ）機器を接続しているアナログＡＶケーブル（白、赤、黄のケーブル）も、一種のホームネットワークとして捉えることができる。
【０００３】
このような環境の中で、近年、ＳＣＳＩの次世代バージョンとして開発が進められたＩＥＥＥ１３９４と呼ばれるシリアルバスの新規格が家庭内ネットワークの主役として脚光を浴びている。ＩＥＥＥ１３９４バスは、複数の端末をデイジーチェインもしくはスター型に接続し、１００Ｍｂｐｓを越える広帯域のデータを転送することができるようになっている。また、その最も大きな特徴として、同一のケーブル上においてＡｓｙｎｃｈｒｏｎｏｕｓデータとＩｓｏｃｈｒｏｎｏｕｓデータの双方を伝送することが可能となっている点があげられる。このため、元々、ＳＣＳＩの次世代バージョンとして検討が始まっていた１３９４をＡＶ機器間を接続するケーブルとして使用しようとの動きが活発になってきた。
【０００４】
このようなＩＥＥＥ１３９４の普及に伴い、このＩＥＥＥ１３９４バスと無線ネットワークを融合しようとの動きも出始めている。その一つの方法として、例えば、赤外線を使って１００Ｍｂｐｓのデータを転送できるようにする試みや、高い周波数帯を使用した広帯域無線上に１３９４プロトコルを実装する試みなどがあげられる。また、このような１３９４プロトコルをそのまま無線環境に乗せてしまう試みと共に、５ＧＨｚ帯の開放に伴って、ＩＥＥＥ１３９４バス上のデータの一部分のみを無線環境に転送する方式も検討されている。このようなＩＥＥＥ１３９４と無線ネットワークの共存は、家庭内へのデジタルＡＶの普及を促進することが期待されている。
【０００５】
ここで、通常の無線環境においては、その接続する基地局の種類によって提供されるサービスが異なってくることは、あまり考えられなかった。例えば、携帯電話サービスやＰＨＳサービスなどは、音声通話サービスを行なうことが前提であり、どの基地局に接続しても得られるサービスは一様なものであることを想定した基地局選択方式（無線強度によって基地局を選択する方式）が採用されている。また、基地局によって提供されるサービスが異なる場合でも、その提供サービスの違いは、基地局ノードに存在しているサービスの違いによるものである場合がほとんどである。
【０００６】
【発明が解決しようとする課題】
上記のような従来の無線ネットワークに対し、ＩＥＥＥ１３９４と無線ネットワークを融合させたネットワークシステムにおいては、その接続する基地局によって、提供可能となるサービスの種類が大幅に異なることが予想される。つまり、ある基地局に接続した場合には、その基地局が接続しているＩＥＥＥ１３９４バス上のサービスしか提供されないことになり、実際にユーザーが必要としているサービスが他の基地局／ＩＥＥＥ１３９４バス上に存在する場合には、そのサービスを提供できなくなり問題である。
【０００７】
本発明は、上記事情を考慮してなされたもので、無線ネットワークとそれとは別のネットワーク（例えばＩＥＥＥ１３９４バス）が混在する環境のネットワーク（例えば家庭内ネットワーク）において、複数の別のネットワーク（例えば複数のＩＥＥＥ１３９４バス）上に各々無線ノード（例えば基地局ノード）が存在するときに、無線端末が無線ノードを選択できるようにした無線端末及び無線ノード並びに通信制御方法を提供することを目的とする。
【０００８】
また、本発明は、各無線ノードが接続している別のネットワーク（例えばＩＥＥＥ１３９４バス）上のサービス等の情報によって、無線端末が接続する無線ノード（例えば基地局ノード）を選択し、ユーザーが必要とするサービス等が存在する別のネットワーク上の無線ノードに確実に接続できるようにした無線端末及び無線ノード並びに通信制御方法を提供することを目的とする。
【０００９】
さらに、本発明は、無線ネットワークが無線ＬＡＮのような方式（ネットワーク上のキャリアをセンスしてからパケットを送出する方式）で運用されている場合でも、所望のサービス等を別のネットワーク（例えばＩＥＥＥ１３９４バス）から入手等できるようになる無線端末及び無線ノード並びに通信制御方法を提供することを目的とする。
【００１０】
【課題を解決するための手段】
本発明（請求項１）に係る無線端末は、無線ネットワークに接続された第１のインタフェース手段と、前記第１のインタフェース手段を介して通信可能な前記無線ネットワーク上に存在する無線ノードから、該無線ノード内に登録されているサービス機能に関する情報または該無線ノード内の構成要素に関する構成情報の少なくとも一方を含む無線ノード情報の少なくとも一部の情報を受信する無線ノード情報受信手段と、前記無線ノード情報受信手段により受信した無線ノード情報の少なくとも一部の情報を記憶する無線ノード情報記憶手段と、前記無線ノード情報記憶手段において記憶している無線ノード情報の少なくとも一部の情報を開示する無線ノード情報開示手段とを備えたことを特徴とする。
【００１１】
本発明によれば、無線ノードから送られてくる、無線ノードが提供可能なサービス等の情報を基に、ユーザーが接続する無線ノードを選択できるようになる。これによって、例えば、ユーザーは自分が受けたいサービスを提供可能な無線ノードを明示的に指定できるようになり、確実に所望のサービスを受けることができるようになる。
【００１２】
好ましくは、前記無線ノード情報受信手段は、前記無線ノード情報の少なくとも一部の情報を、前記無線ノードからの自己紹介信号によって受信するようにしてもよい。
【００１３】
好ましくは、前記無線ノード情報開示手段は、前記無線ノード情報記憶手段において記憶している無線ノード情報の少なくとも一部の情報を、自無線端末内のディスプレイに画面表示することにより開示するようにしてもよい。
【００１４】
好ましくは、前記第１のインタフェース手段を介して通信可能な前記無線ネットワーク上に存在する無線ノードに対し、前記無線ノード情報の少なくとも一部の情報の開示を要求する無線ノード情報開示要求手段をさらに備えるようにしてもよい。
【００１５】
好ましくは、前記第１のインタフェース手段を介して通信可能な前記無線ネットワーク上に存在すると認識されている無線ノードの中から、実際に通信を行う無線ノードを選択するための無線ノード選択手段をさらに備えるようにしてもよい。
【００１６】
好ましくは、前記第１のインタフェース手段を介して通信可能な前記無線ネットワーク上に存在すると認識されている無線ノードに、所定の優先度を付加するための無線ノード優先度決定手段と、前記無線ノード優先度決定手段によって決定された優先度に従って、前記無線ノードの無線ノード情報の少なくとも一部を開示する無線ノード情報開示手段とをさらに備えるようにしてもよい。
【００１７】
本発明（請求項７）に係る無線ノードは、無線ネットワークに接続された第１のインタフェース手段と、前記無線ネットワークとは別のネットワーク（例えばＩＥＥＥ１３９４バス）に接続された第２のインタフェース手段と、前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集／記憶するノード情報収集／記憶手段と、前記第１のインタフェース手段を介して、前記ノード情報収集／記憶手段によって記憶しているノード情報の少なくとも一部の情報を、前記無線ネットワーク上の無線端末に開示するノード情報開示手段とを備えたことを特徴とする。
【００１８】
本発明によれば、自ノードが提供可能なサービス等の情報を、無線端末に無線端末に通知できるようになる。これによって、無線端末を利用しているユーザーは、無線端末を使用する際に無線ノードが提供可能なサービス等の情報を知ることができ、それを基に接続する無線ノードを明示的に指定することができ、例えば、所望のサービスを確実に受けることができるようになる。
【００１９】
好ましくは、前記ノード情報開示手段は、前記無線ネットワークに対して送出している自己紹介信号によって、前記ノード情報収集／記憶手段において記憶しているノード情報の少なくとも一部の情報を開示するようにしてもよい。
【００２０】
これによって、自ノードが接続するネットワーク上のノード内に存在し自ノードを介して無線端末に提供可能なサービス等の情報を、無線端末接続時に無線端末に通知できるようになる。
【００２１】
本発明（請求項９）に係る無線ノードは、無線ネットワークに接続された第１のインタフェース手段と、前記無線ネットワークとは別のネットワーク（例えばＩＥＥＥ１３９４バス）に接続された第２のインタフェース手段と、前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集／記憶するノード情報収集／記憶手段と、前記第１のインタフェース手段を介して、前記無線ネットワーク上に存在する他の無線ノード内に登録されているサービス機能に関する情報または該他の無線ノード内の構成要素に関する構成情報の少なくとも一方を含む無線ノード情報の少なくとも一部の情報を収集／記憶する無線ノード情報収集／記憶手段と、前記第１のインタフェース手段を介して、前記ノード情報収集／記憶手段によって記憶しているノード情報もしくは前記無線ノード情報収集／記憶手段によって記憶している無線ノード情報のうちの少なくとも一部の情報を、前記無線ネットワーク上の無線端末もしくは他の無線ノードに開示するノード情報開示手段とを備えたことを特徴とする。
【００２２】
本発明によれば、他の無線ノードから送られてくる該他の無線ノードが提供可能なサービス等の情報をも無線端末に通知できるようになる。これによって、例えば、ユーザーは自分が受けたいサービスを提供可能な無線ノードを明示的に指定できるようになり、確実に所望のサービスを受けることができるようになる。
【００２３】
好ましくは、前記第１のインタフェース手段を介して、前記第１のネットワーク上に存在する他の無線ノードに対して、該他の無線ノード内に登録されているサービス機能に関する情報または該他の無線ノード内の構成要素に関する構成情報の少なくとも一方を含む無線ノード情報の少なくとも一部の情報の開示を要求する無線ノード情報開示要求手段をさらに備えるようにしてもよい。
【００２４】
好ましくは、前記無線ノード情報開示手段は、前記ノード情報収集／記憶手段において記憶している前記ノード情報もしくは前記無線ノード情報収集／記憶手段において記憶している前記無線ノード情報の少なくとも一部の情報を、前記無線ネットワーク上の無線端末もしくは他の無線ノードからの要求に従って開示するようにしてもよい。
【００２５】
これによって、無線端末を利用しているユーザーは、無線端末を使用している適当なタイミングで、無線ノードが提供可能なサービス等の情報を知ることができ、例えば、それを基に接続する無線ノードを明示的に指定することができ、複数のサービスを順次受けることができるようになる。
【００２６】
好ましくは、前記ノード情報開示手段は、前記ノード情報収集／記憶手段において記憶している前記ノード情報もしくは前記無線ノード情報収集／記憶手段において記憶している前記無線ノード情報の少なくとも一部の情報を、前記無線ネットワーク上の全ての無線端末に同報的に通知するようにしてもよい。
【００２７】
好ましくは、前記無線ネットワーク上においてＡＶ／Ｃプロトコルを実行するＡＶ／Ｃプロトコル実行手段と、前記無線ネットワークとは別のネットワーク上においてＨＡＶｉプロトコルを実行するＨＡＶｉプロトコル実行手段と、前記無線ネットワークとは別のネットワーク上のノード内に登録されているサービス機能に関する情報または該ノード内の構成要素に関する構成情報の少なくとも一方を含むノード情報に対応する、前記ＨＡＶｉプロトコルで定義されるレジストリ情報から、該レジストリ情報に対応する、前記ＡＶ／Ｃプロトコルで定義されるＳｕｂＵｎｉｔ情報を作成する機能と、前記無線ネットワーク上の無線ノード内に登録されているサービス機能に関する情報または該無線ノード内の構成要素に関する構成情報の少なくとも一方を含む無線ノード情報に対応する、前記ＡＶ／Ｃプロトコルで定義されるＳｕｂＵｎｉｔ情報から、該ＳｕｂＵｎｉｔ情報に対応する、前記ＨＡＶｉプロトコルで定義されるレジストリ情報を作成する機能とのうち、少なくとも一方の機能を有するレジストリ／ＳｕｂＵｎｉｔ情報作成手段をさらに備えるようにしてもよい。
【００２８】
好ましくは、前記無線ネットワークとは別のネットワーク上のノード内に登録されているサービス機能に関する情報または該ノード内の構成要素に関する構成情報の少なくとも一方を含むノード情報に対応する、前記ＨＡＶｉプロトコルで定義されるレジストリ情報と、該レジストリ情報から前記レジストリ／ＳｕｂＵｎｉｔ情報作成手段によって作成されたＳｕｂＵｎｉｔ情報との対応関係を記憶する機能と、前記無線ネットワーク上の無線ノード内に登録されているサービス機能に関する情報または該無線ノード内の構成要素に関する構成情報の少なくとも一方を含む無線ノード情報に対応する、前記ＡＶ／Ｃプロトコルで定義されるＳｕｂＵｎｉｔ情報と、該ＳｕｂＵｎｉｔ情報から前記レジストリ／ＳｕｂＵｎｉｔ情報作成手段によって作成されたレジストリ情報との対応関係を記憶する機能とのうち、少なくとも一方の機能を有するレジストリ／ＳｕｂＵｎｉｔ情報記憶手段をさらに備えるようにしてもよい。
【００２９】
好ましくは、前記無線ネットワークとは別のネットワーク上のノードを制御するための、前記ＨＡＶｉプロトコルで定義される制御画面情報を、前記無線ネットワーク上で実行されているＡＶ／Ｃプロトコルによって認識可能な制御画面情報に変換する機能と、前記無線ネットワーク上の無線ノードを制御するための、前記ＡＶ／Ｃプロトコルで定義される制御画面情報を、前記無線ネットワークとは別のネットワーク上で実行されているＨＡＶｉプロトコルによって認識可能な制御画面情報に変換する機能とのうち、少なくとも一方の機能を有する制御画面情報変換手段とをさらに備えるようにしてもよい。
好ましくは、前記無線ネットワークとは別のネットワーク上のノードを制御するための、前記ＨＡＶｉプロトコルで定義される制御コマンドを、該制御コマンドに対応する、前記無線ネットワーク上で実行されているＡＶ／Ｃプロトコルで定義される制御コマンドに変換する機能と、前記無線ネットワーク上の無線ノードを制御するための、前記ＡＶ／Ｃプロトコルで定義される制御コマンドを、該制御コマンドに対応する、前記無線ネットワークとは別のネットワーク上で実行されているＨＡＶｉプロトコルで定義される制御コマンドに変換する機能とのうち、少なくとも一方の機能を有するコマンド変換手段とをさらに備えるようにしてもよい。
【００３０】
また、本発明は、無線ネットワークに接続された第１のインタフェース手段を備えた無線端末における通信制御方法であって、前記第１のインタフェース手段を介して通信可能な前記無線ネットワーク上に存在する無線ノードから、該無線ノード内に登録されているサービス機能に関する情報または該無線ノード内の構成要素に関する構成情報の少なくとも一方を含む無線ノード情報の少なくとも一部の情報を受信するステップと、前記第１のインタフェース手段を介して受信した無線ノード情報の少なくとも一部の情報を記憶手段に記憶するステップと、前記記憶手段に記憶されている無線ノード情報の少なくとも一部の情報を開示するステップとを有することを特徴とする。
好ましくは、前記無線ノード情報の少なくとも一部の情報は、前記無線ノードからの自己紹介信号によって受信するようにしてもよい。
好ましくは、前記記憶手段に記憶されている無線ノード情報の少なくとも一部の情報を、自無線端末内のディスプレイに画面表示することにより開示するようにしてもよい。
好ましくは、前記第１のインタフェース手段を介して通信可能な前記無線ネットワーク上に存在する無線ノードに対し、前記無線ノード情報の少なくとも一部の情報の開示を要求するステップを更に有するようにしてもよい。
好ましくは、前記第１のインタフェース手段を介して通信可能な前記無線ネットワーク上に存在すると認識されている無線ノードの中から、実際に通信を行う無線ノードを選択するステップを更に有するようにしてもよい。
好ましくは、前記第１のインタフェース手段を介して通信可能な前記無線ネットワーク上に存在すると認識されている無線ノードに、所定の優先度を付加するステップと、前記無線ノード優先度決定手段によって決定された優先度に従って、前記無線ノードの無線ノード情報の少なくとも一部を開示するステップとを更に有するようにしてもよい。
また、本発明は、無線ネットワークに接続された第１のインタフェース手段と、前記無線ネットワークとは別のネットワークに接続された第２のインタフェース手段とを備えた無線ノードにおける通信制御方法であって、前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集し、記憶手段に記憶するステップと、前記第１のインタフェース手段を介して、前記記憶手段に記憶されているノード情報の少なくとも一部の情報を、前記無線ネットワーク上の無線端末に開示するステップとを有することを特徴とする。
好ましくは、前記無線ネットワークに対して送出している自己紹介信号によって、前記記憶手段に記憶されているノード情報の少なくとも一部の情報を開示するようにしてもよい。
また、本発明は、無線ネットワークに接続された第１のインタフェース手段と、前記無線ネットワークとは別のネットワークに接続された第２のインタフェース手段とを備えた無線ノードにおける通信制御方法であって、前記第２のインタフェース手段を介して、前記無線ネットワークとは別のネットワーク上に存在する他のノード内に登録されているサービス機能に関する情報または該他のノード内の構成要素に関する構成情報の少なくとも一方を含むノード情報の少なくとも一部の情報を収集し、第１の記憶手段に記憶するステップと、前記第１のインタフェース手段を介して、前記無線ネットワーク上に存在する他の無線ノード内に登録されているサービス機能に関する情報または該他の無線ノード内の構成要素に関する構成情報の少なくとも一方を含む無線ノード情報の少なくとも一部の情報を収集し、第２の記憶手段に記憶するステップと、前記第１のインタフェース手段を介して、前記第１の記憶手段に記憶されているノード情報もしくは前記第２の記憶手段に記憶されている無線ノード情報のうちの少なくとも一部の情報を、前記無線ネットワーク上の無線端末もしくは他の無線ノードに開示するステップとを有することを特徴とする。
好ましくは、前記第１のインタフェース手段を介して、前記第１のネットワーク上に存在する他の無線ノードに対して、該他の無線ノード内に登録されているサービス機能に関する情報または該他の無線ノード内の構成要素に関する構成情報の少なくとも一方を含む無線ノード情報の少なくとも一部の情報の開示を要求するステップを更に有するようにしてもよい。
好ましくは、前記第１の記憶手段に記憶されている前記ノード情報もしくは前記第２の記憶手段に記憶されている前記無線ノード情報の少なくとも一部の情報を、前記無線ネットワーク上の無線端末もしくは他の無線ノードからの要求に従って開示するようにしてもよい。
好ましくは、前記第１の記憶手段に記憶されている前記ノード情報もしくは前記第２の記憶手段に記憶されている前記無線ノード情報の少なくとも一部の情報を、前記無線ネットワーク上の全ての無線端末に同報的に通知することを特徴とする。
【００３１】
なお、装置に係る本発明は方法に係る発明としても成立し、方法に係る本発明は装置に係る発明としても成立する。
【００３２】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムを記録したコンピュータ読取り可能な記録媒体としても成立する。
【００３３】
【発明の実施の形態】
以下、図面を参照しながら発明の実施の形態を説明する。
【００３４】
以下では、通信ノード（基地局ノード、無線１３９４ノード）により、家庭内に存在するＩＥＥＥ１３９４バスに、無線インタフェースを介して無線端末が接続される際の各実施形態について詳細に説明する。
【００３５】
（第１の実施形態）
本発明の第１の実施形態について説明する。
【００３６】
図１に、無線ネットワークとは別の家庭内ネットワークとしてＩＥＥＥ１３９４バスを用いた場合の実施形態を示す。
【００３７】
図１では、家庭内に２つのＩＥＥＥ１３９４バス１０，２０が存在し、それぞれのＩＥＥＥ１３９４バス上に複数の１３９４ノードが接続された状態を示している。ＩＥＥＥ１３９４バス１０上には、１３９４ノード１０１と基地局ノード１１０が存在し、ＩＥＥＥ１３９４バス２０上には、１３９４ノード１０２と基地局ノード１２０が存在する。また、家庭内には、基地局ノード１１０，１２０と無線ネットワークによって接続可能な無線端末１３０が存在する。
【００３８】
本実施形態においては、この無線ネットワークが周波数分割多重／時分割多重されて運用されている場合を示しており、無線端末１３０が、あらかじめ接続する基地局ノードを選択してから無線ネットワーク上でのデータ通信を開始する場合を示している。
【００３９】
また、各１３９４ノード１０１，１０２や無線端末１３０内には、それらの構成要素（ＳｕｂＵｎｉｔ）として、１３９４ノード１０１内にＶＴＲ  ＳｕｂＵｎｉｔ１０１１とチューナーＳｕｂＵｎｉｔ１０１２が、１３９４ノード１０２内にＤＶＤ  ＳｕｂＵｎｉｔ１０２１とＤｉｓｃ  ＳｕｂＵｎｉｔ１０２２が、無線端末１３０内にデコーダＳｕｂＵｎｉｔ１３０１が存在している。
【００４０】
本実施形態では、ＩＥＥＥ１３９４バス上に存在するノードと無線ネットワーク上に存在するノードとが、お互いに直接認識し合うのではなく、各々のノード内に存在する構成要素（例えば、ＡＶ／ＣプロトコルにおけるＳｕｂＵｎｉｔ）のレベルで認識し合う場合を想定している。具体的には、無線ネットワーク上の無線端末からは、ＩＥＥＥ１３９４パス上のノード内に存在する構成要素が、あたかも基地局ノード内に存在するかのように認識されている場合である。
【００４１】
この場合の、無線端末１３０やＩＥＥＥ３９４バス上のノードが認識するネットワークの構成例を図２に示す。図２には、無線端末１３０が基地局ノード１１０に接続した場合（図２（ａ））と、無線端末１３０が基地局ノード１２０に接続した場合（図２（ｂ））の２通りを示している。さらに、各々の場合について、無線端末１３０側が認識しているネットワーク構成とＩＥＥＥ１３９４バス上の１３９４ノードが認識しているネットワーク構成とを示している。
【００４２】
具体的には、図２（ａ）に示すように、無線端末１３０が基地局ノード１１０に接続した場合には、無線端末１３０からは、基地局ノード１１０内にＩＥＥＥ１３９４バス１０上の１３９４ノード内のＳｕｂＵｎｉｔ（１０１１，１０１２）が存在するように見え、１３９４ノード１０１からは、基地局ノード１１０内に無線端末１３０内のＳｕｂＵｎｉｔ（１３０１）が存在するように見える。よって、この場合には、無線端末１３０からはＩＥＥＥ１３９４バス２０上の１３９４ノード内のＳｕｂＵｎｉｔは認識できないので、ＩＥＥＥ１３９４バス２０上のサービスは受けられないことになる。
【００４３】
また、図２（ｂ）に示すように、無線端末１３０が基地局ノード１２０に接続した場合には、無線端末１３０からは、基地局ノード１２０内にＩＥＥＥ１３９４バス２０上の１３９４ノード内のＳｕｂＵｎｉｔ（１０２１，１０２２）が存在するように見え、１３９４ノード１０２からは、基地局ノード１２０内に無線端末１３０内のＳｕｂＵｎｉｔ（１３０１）が存在するように見える。よって、この場合には、無線端末１３０からはＩＥＥＥ１３９４バス１０上の１３９４ノード内のＳｕｂＵｎｉｔは認識できないので、ＩＥＥＥ１３９４バス１０上のサービスは受けられないことになる。
【００４４】
本実施形態では、無線端末１３０が接続する基地局を、基地局ノード１１０にするのかあるいは基地局ノード１２０にするのかを判断する際に、各基地局ノードが接続しているＩＥＥＥ１３９４バス上のサービス情報（ＳｕｂＵｎｉｔ情報）を用いて、その接続する基地局ノードを選択する場合について述べる。
【００４５】
ここで、図３に、本実施形態の無線ネットワーク上における周波数割り当て方式の一例を示す。
【００４６】
図３の例では、無線周波数上に３つのデータ転送用のキャリア１，２，３と、基地局ノードや無線端末からのブロードキャストデータ用のキャリアであるＢＣＣＨ（Ｂｒｏａｄ  Ｃａｓｔ  Ｃｈａｎｎｅｌ）が存在する場合を示している。このＢＣＣＨでは、例えば、各基地局ノードのノード識別ＩＤや基地局ノードの種類／機能等といった、基地局ノードの自己紹介情報が、各基地局ノードに割り当てられた適当なタイミングで送信されている。本実施形態では、このＢＣＣＨを用いて、基地局ノードから無線端末に対して、各基地局ノード内に存在する（存在するように無線端末に認識させる）ＳｕｂＵｎｉｔ情報を通知する方式について述べる（図４）。また、ＢＣＣＨでは通常の自己紹介情報を無線端末に通知し、その後の処理で基地局ノード内に存在するＳｕｂＵｎｉｔ情報を無線端末に通知する方式についても述べる（図５）。
【００４７】
図４に、図３に例示したようなＢＣＣＨを用いて、基地局ノード１１０，１２０から無線端末１３０に対して、各基地局ノード１１０，１２０内に存在するように無線端末１３０に認識させるＳｕｂＵｎｉｔ情報を通知し、それによって無線端末１３０が接続する基地局ノードを選択する方式の処理シーケンスの一例を示す。
【００４８】
このとき、基地局ノード１１０は、自ノード内のＳｕｂＵｎｉｔ情報として１３９４ノード１０１内のＳｕｂＵｎｉｔ情報を無線端末１３０に通知し、基地局ノード１２０は、自ノード内のＳｕｂＵｎｉｔ情報として１３９４ノード１０２内のＳｕｂＵｎｉｔ情報を無線端末１３０に通知する。
【００４９】
以下の処理シーケンスにおいては、ユーザーがＤＶＤ  ＳｕｂＵｎｉｔへの操作を行ないたい場合の例を示しており、無線端末１３０が基地局ノード１２０を選択して接続する場合の例を示している。このように、無線端末１３０が基地局ノード１２０を選択した場合に、無線端末１３０や１３９４ノード１０２が認識するネットワークの構成は、図２（ｂ）のようになっている。
【００５０】
具体的な処理の内容を以下に示す。
【００５１】
（１）基地局ノード１１０が、ＩＥＥＥ１３９４バス１０上のノード内のＳｕｂＵｎｉｔ情報を収集し、それらを自ノード内のＳｕｂＵｎｉｔ情報とする。
【００５２】
（２）基地局ノード１２０が、ＩＥＥＥ１３９４バス２０上のノード内のＳｕｂＵｎｉｔ情報を収集し、それらを自ノード内のＳｕｂＵｎｉｔ情報とする。
【００５３】
（３）ユーザーが無線端末１３０の電源をオンする（あるいは、例えば無線端末１３０が無線ネットワークに加入するなどのことが発生する）。
【００５４】
（４）無線端末１３０が、ＢＣＣＨ上の情報を受信して基地局ノード１１０，１２０からの自己紹介情報を受信する。この自己紹介情報の中に、上記の処理（１）や（２）において各基地局ノードが収集したＳｕｂＵｎｉｔ情報が含まれている。
【００５５】
（５）無線端末１３０が、基地局ノード１１０，１２０から送られてくる自己紹介情報を収集し、その一覧を作成する。
【００５６】
（６）無線端末１３０上のモニタなどに、作成した一覧情報を表示する。
【００５７】
（７）ユーザーは、所望のサービス（ＤＶＤ  ＳｕｂＵｎｉｔ）を持つ基地局ノード１２０を選択し、ＤＶＤ  ＳｕｂＵｎｉｔに対するコマンド（例えば「再生」）を入力する。ここで、ユーザーが選択するのは基地局ノード１２０である場合や、ＤＶＤ  ＳｕｂＵｎｉｔである場合や、ＤＶＤ  ＳｕｂＵｎｉｔ内のコンテンツである場合などが考えられる。
【００５８】
（８）モニタ画面などを通して、コマンドが無線端末１３０に入力される。
【００５９】
（９）無線端末１３０が、選択された基地局ノード１２０に接続する。
【００６０】
（１０）無線端末１３０が、基地局ノード１２０内のＤＶＤ  ＳｕｂＵｎｉｔ１０２１に対して、入力されたコマンド（例えば「再生」）を送信する。
【００６１】
（１１）基地局ノード１２０が、受信したコマンドを無線ネットワーク上のパケットからＩＥＥＥ１３９４バス上のパケットに乗せ替える（パケット変換処理を行う）。
【００６２】
（１２）基地局ノード１２０が、パケット変換したＩＥＥＥ１３９４パケット（再生コマンドが乗っている）を１３９４ノード１０２内のＤＶＤ  ＳｕｂＵｎｉｔ１０２１に転送する。
【００６３】
（１３）１３９４ノード１０２が、受信したコマンドに対応する処理を実行する。
【００６４】
上記のような一連の処理によって、無線端末１３０から所望のサービス（ＳｕｂＵｎｉｔ）へのコマンドの送信が可能となる。
【００６５】
ただし、処理手順は上記のような手順だけではなく、例えば、処理（７）の段階で入力されるのがＤＶＤ  ＳｕｂＵｎｉｔへのコマンドではなく、ＤＶＤ  ＳｕｂＵｎｉｔを選択するという情報だけである場合も考えられる。この場合は、一旦、無線端末１３０が基地局ノード１２０に接続した後、ユーザーによって選択されたＤＶＤ  ＳｕｂＵｎｉｔ（１０２１）に対して、その中のコンテンツ情報の開示要求を送り、その結果を再度ユーザーに開示するような方法も考えられる。このときには、ユーザーからのコンテンツの選択やコマンドの入力は、これらの処理の後に実行されることになる。
【００６６】
また、実際の「再生」コマンドに対応する処理としては、再生した映像を無線端末１３０に転送するための、ＩＥＥＥ１３９４バス上でのＩｓｏｃｈｒｏｎｏｕｓチャネルの獲得処理や無線ネットワーク上でのリソース獲得処理や、１３９４ノード１０２内や無線端末１３０内でのＳｕｂＵｎｉｔ間の接続コマンドの送受信処理などの処理が必要であるが、ここではそれらの処理についての説明は省略している。
【００６７】
図５に、図３に例示したようなＢＣＣＨを用いて、基地局ノード１１０，１２０から無線端末１３０に対して通常の基地局ノードの自己紹介情報を通知し、その後の処理において、各基地局ノード１１０，１２０内に存在するように無線端末１３０に認識させるＳｕｂＵｎｉｔ情報を通知して、無線端末１３０が接続する基地局ノードを選択する方式の処理シーケンスの一例を示す。
【００６８】
このとき、ユーザーは無線ネットワーク上の各基地局内のＳｕｂＵｎｉｔ情報を順次検索し、所望のＳｕｂＵｎｉｔ（以下の例では、ＤＶＤ  ＳｕｂＵｎｉｔとしている）が存在する基地局ノードを選択する。
【００６９】
具体的な処理の内容を以下に示す。
【００７０】
（１）基地局ノード１１０が、ＩＥＥＥ１３９４バス１０上のノード内のＳｕｂＵｎｉｔ情報を収集し、それらを自ノード内のＳｕｂＵｎｉｔ情報とする。
【００７１】
（２）基地局ノード１２０が、ＩＥＥＥ１３９４バス２０上のノード内のＳｕｂＵｎｉｔ情報を収集し、それらを自ノード内のＳｕｂＵｎｉｔ情報とする。
【００７２】
（３）ユーザーが無線端末１３０の電源をオンする（あるいは、例えば無線端末１３０が無線ネットワークに加入するなどのことが発生する）。
【００７３】
（４）無線端末１３０が、ＢＣＣＨ上の情報を受信して基地局ノード１１０，１２０からの自己紹介情報を受信する。ここでは、自己紹介情報にＳｕｂＵｎｉｔ情報は含まれていない。
【００７４】
（５）無線端末１３０が、基地局ノード１１０，１２０から送られてくる自己紹介情報を収集し、その一覧を作成する。
【００７５】
（６）無線端末１３０が、この自己紹介情報を用いて接続する基地局ノードを選択し、それに接続する。ここでは、例えば無線強度による基地局ノード選択方法によって、基地局ノード１１０に接続するものとする。
【００７６】
（７）無線端末１３０が、基地局ノード１１０に対して、その内部のＳｕｂＵｎｉｔ情報の開示を要求する。
【００７７】
（８）基地局ノード１１０が、自ノード内のＳｕｂＵｎｉｔ情報を開示する。この例の場合、開示するのはＶＴＲ  ＳｕｂＵｎｉｔ１０１１とチューナーＳｕｂＵｎｉｔ１０１２である。
【００７８】
（９）無線端末１３０上のモニタなどに、基地局ノード１１０から開示されたＳｕｂＵｎｉｔ情報と、その他に無線ネットワーク上に存在する基地局ノードの一覧情報を表示する。
【００７９】
（１０）ユーザーは、開示されたＳｕｂＵｎｉｔ情報の中に所望のサービス（ＤＶＤ  ＳｕｂＵｎｉｔ）の情報が存在しないため、他の基地局ノードとして基地局ノード１２０を選択し、そのＳｕｂＵｎｉｔ情報の開示を要求する。
【００８０】
（１１）モニタ画面などを通して、要求が無線端末１３０に送られる。
【００８１】
（１２）無線端末１３０が、基地局ノード１１０との接続を切断する。
【００８２】
（１３）無線端末１３０が、選択された基地局ノード１２０に接続する。
【００８３】
（１４）無線端末１３０が、基地局ノード１２０に対して、その内部のＳｕｂＵｎｉｔ情報の開示を要求する。
【００８４】
（１５）基地局ノード１２０が、自ノード内のＳｕｂＵｎｉｔ情報を開示する。この例の場合、開示するのはＤＶＤ  ＳｕｂＵｎｉｔ１０２１とＤｉｓｃ  ＳｕｂＵｎｉｔ１０２２である。
【００８５】
（１６）無線端末１３０上のモニタなどに、基地局ノード１２０から開示されたＳｕｂＵｎｉｔ情報と、その他に無線ネットワーク上に存在する基地局ノードの一覧情報を表示する。このとき、基地局ノード１１０は検索済みの表示となる。
【００８６】
（１７）ユーザーは、表示された情報から所望のサービス（ＤＶＤ  ＳｕｂＵｎｉｔ）を選択し、そのＤＶＤ  ＳｕｂＵｎｉｔへのコマンド（例えば「再生」）を入力する。ここで、ユーザーが選択するのはＤＶＤ  ＳｕｂＵｎｉｔである場合や、ＤＶＤ  ＳｕｂＵｎｉｔ内のコンテンツである場合などが考えられる。
【００８７】
（１８）モニタ画面などを通して、コマンドが無線端末１３０に入力される。
【００８８】
（１９）無線端末１３０が、基地局ノード１２０内のＤＶＤ  ＳｕｂＵｎｉｔに対して、入力されたコマンド（例えば「再生」）を送信する。
【００８９】
（２０）基地局ノード１２０が、受信したコマンドを無線ネットワーク上のパケットからＩＥＥＥ１３９４バス上のパケットに乗せ替える（パケット変換処理を行う）。
【００９０】
（２１）基地局ノード１２０が、パケット変換したＩＥＥＥ１３９４パケット（再生コマンドが乗っている）を１３９４ノード１０２内のＤＶＤ  ＳｕｂＵｎｉｔ１０２１に転送する。
【００９１】
（２２）１３９４ノード１０２が、受信したコマンドに対応する処理を実行する。
【００９２】
上記のような一連の処理により、無線端末から所望のサービス（ＳｕｂＵｎｉｔ）へのコマンドの送信が可能となる。
【００９３】
ただし、処理手順は上記のような手順だけではなく、例えば、処理（５）の段階で無線ネットワーク上に存在する基地局ノードの一覧を表示し、その中からユーザーが基地局ノードを選択し、順次ＳｕｂＵｎｉｔ情報を検索していく方法も考えられる。
【００９４】
また、処理（１７）の段階で入力されるのがＤＶＤ  ＳｕｂＵｎｉｔへのコマンドではなく、ＤＶＤ  ＳｕｂＵｎｉｔを選択するという情報だけである場合も考えられる。この場合は、一旦、無線端末１３０が基地局ノード１２０に接続した後、ユーザーによって選択されたＤＶＤ  ＳｕｂＵｎｉｔに対して、その中のコンテンツ情報の開示要求を送り、その結果を再度ユーザーに開示するような方法も考えられる。このときには、ユーザーからのコンテンツの選択やコマンドの入力は、これらの処理の後に実行されることになる。
【００９５】
さらに、図４の処理シーケンスの場合と同様に、実際の「再生」コマンドに対応する処理としては、再生した映像を無線端末１３０に転送するための、ＩＥＥＥ１３９４バス上でのＩｓｏｃｈｒｏｎｏｕｓチャネルの獲得処理や無線ネットワーク上でのリソース獲得処理や、１３９４ノード１０２内や無線端末１３０内でのＳｕｂＵｎｉｔ間の接続コマンドの送受信処理などの処理が必要であるが、ここではそれらの処理についての説明は省略している。
【００９６】
次に、図６／図７に、図４／図５の処理の中で、無線端末１３０の画面上に表示される、無線ネットワーク上の基地局情報の一覧や、各基地局ノード内のＳｕｂＵｎｉｔ情報の一覧の表示方法の例を示す。
【００９７】
図６に、図４の処理（６）で表示される表示画面の一例を示す。本実施形態においては、２つの基地局ノード１１０，１２０が存在する構成になっているので、図６においても、それら２つの基地局ノードに関する情報が表示されている。具体的には、基地局ノード１１０の下にＶＴＲとチューナーが存在し、その中のコンテンツ情報やチャネル情報が見えるようになっている。
【００９８】
このコンテンツ情報やチャネル情報は、図４の処理においては、ＢＣＣＨによる自己紹介情報の中に含ませる方法が考えられ、図５の処理においては、順次ＳｕｂＵｎｉｔ情報を検索する際に通知する方法が考えられる。当然、それらの組合せで実現する方法も考えられる。
【００９９】
図７に、図５の処理（１６）で表示される表示画面の一例を示す。図５の方式では、接続している基地局ノード内のＳｕｂＵｎｉｔ情報と他の基地局ノードの情報の一覧も表示するので、基地局ノード１２０内のＳｕｂＵｎｉｔ情報と、他の基地局ノードの情報が表示されている。ここで、基地局ノードの情報としては、既に図５の処理（９）において基地局ノード１１０のＳｕｂＵｎｉｔ情報に関しては「表示済み」であるので、その旨の情報が付加されている。また、図７のように現在表示中の基地局ノード（１２０）のＳｕｂＵｎｉｔ情報に関して「アクセス中」である旨の情報を表示するようにしてもよい。また、その他に未だアクセスしていない基地局ノードがある場合には、その旨の情報を表示する（例えば「未アクセス」と表示する）ようにしてもよい。
【０１００】
ここで、ユーザーが所望のサービスを得るために選択するのは、必ずしも基地局ノードであるとは限らない。例えば、画面上のＤＶＤ  ＳｕｂＵｎｉｔを直接選択する場合や、ＤＶＤ  ＳｕｂＵｎｉｔ内のコンテンツを直接選択する場合などが想定できる。このような、ユーザーの選択方法が考えられるため、例えば、図６においては必ずしも基地局ノード１１０や１２０が表示されている必要はない。さらには、各ＳｕｂＵｎｉｔ（ＤＶＤやＤｉｓｃやＶＴＲ等）の表示も必須ではなく、それらのＳｕｂＵｎｉｔ内に存在するコンテンツ情報のみが画面に表示されているような場合も考えられる。図６と同様に、図７においても、基地局ノード１２０やＤＶＤ，Ｄｉｓｃ  ＳｕｂＵｎｉｔの表示は必ずしも必要ではない。また、図７では、他の基地局ノードを各々表示するようにしているが、これも、例えば「他のＳｕｂＵｎｉｔ」「他のサービス」といった選択肢を準備するという方法が考えられる。この場合は、その選択肢をユーザーが選択した場合に、無線端末１３０が、既に接続した基地局ではない適当な基地局に接続して、新たな画面を作成／表示するような方法も考えられる。
【０１０１】
図８に、本実施形態の基地局ノード１１０，１２０の内部構成のブロック図の一例を示す。
【０１０２】
本実施形態においては、基地局ノード（１１０，１２０）において、ＩＥＥＥ１３９４バス上の各ノード内のＳｕｂＵｎｉｔ情報を無線ネットワーク側に開示する処理や、無線ネットワーク上の無線端末内のＳｕｂＵｎｉｔ情報をＩＥＥＥ１３９４バス側に開示する処理や、それらのＳｕｂＵｎｉｔ情報を用いたルーティング処理などが実行されている。また、無線端末が自ノードに接続する際の接続要求処理や、接続時に自ノードが接続しているＩＥＥＥ１３９４バス上のＳｕｂＵｎｉｔ情報を無線端末に通知するための処理などが実行されている。
【０１０３】
このことから、図８に例示する基地局ノード（１１０，１２０）の構成では、無線ネットワークへのインタフェース機能を提供する無線インタフェース処理部７０１と、無線ネットワーク上を転送するパケットとＩＥＥＥ１３９４バス上を転送するパケットの間でのパケット乗せ替え処理を実行するパケット変換処理部７０２と、無線ネットワーク上に無線端末が接続した際の接続処理を実行する無線端末接続処理部７０３と、無線端末から基地局ノード（１１０，１２０）内のＳｕｂＵｎｉｔ情報の開示が求められた場合に、自ノードが接続しているＩＥＥＥ１３９４バス上の１３９４ノード内のＳｕｂＵｎｉｔ情報の一覧を開示するＳｕｂＵｎｉｔ情報要求処理部７０５と、無線端末の接続時や無線端末からのＳｕｂＵｎｉｔ情報開示要求受信時に開示する、自ノードが接続しているＩＥＥＥ１３９４バス上の１３９４ノード内に存在するＳｕｂＵｎｉｔ情報の一覧を作成する基地局ノード内ＳｕｂＵｎｉｔ情報作成部７０４と、自ノードが接続している無線ネットワーク上の無線端末内に存在するＳｕｂＵｎｉｔ情報を収集する無線端末内ＳｕｂＵｎｉｔ情報収集部７０６と、ＩＥＥＥ１３９４バス上の１３９４ノード内に存在するＳｕｂＵｎｉｔ情報を収集するＳｕｂＵｎｉｔ情報収集部７０７と、無線端末内ＳｕｂＵｎｉｔ情報収集部７０６やＳｕｂＵｎｉｔ情報収集部７０７で収集された、無線ネットワーク上のＳｕｂＵｎｉｔ情報とＩＥＥＥ１３９４バス上のＳｕｂＵｎｉｔ情報を基に、自ノード内でのパケット転送のためのルーティングテーブルを作成／保持するルーティングテーブル７０８と、ＩＥＥＥ１３９４バスへのインタフェース機能を提供するＩＥＥＥ１３９４バスインタフェース処理部７０９とが存在する。
【０１０４】
ここで、図４に示した処理を実行する場合には、無線端末が接続する際に基地局ノード内のＳｕｂＵｎｉｔ情報を開示してしまうため、図８の内部構成例においてＳｕｂＵｎｉｔ情報要求処理部７０５は不要である。この無線端末の接続時の基地局ノード内のＳｕｂＵｎｉｔ情報の開示においては、あらかじめ基地局ノード内ＳｕｂＵｎｉｔ情報作成部７０４で作成した情報を、無線端末接続処理部７０３から、ＢＣＣＨに乗せて無線ネットワークに送出するような方法が考えられる。
【０１０５】
また、図５に示した処理を実行する場合には、無線端末の接続処理を行なうときに基地局ノード内のＳｕｂＵｎｉｔ情報を開示することはないので、図８における無線端末接続処理部７０３と基地局ノード内ＳｕｂＵｎｉｔ情報作成部７０４の間を繋ぐ線は不要である。この場合は、無線ネットワーク上で無線端末と基地局ノードが接続した後に、無線端末からＳｕｂＵｎｉｔ情報の開示要求を受信した際に、基地局ノード内ＳｕｂＵｎｉｔ情報作成部７０４で作成したＳｕｂＵｎｉｔ情報を無線端末に開示することになる。
【０１０６】
図９に、本実施形態の無線端末１３０の内部構造のブロック図の一例を示す。
【０１０７】
本実施形態では、無線端末１３０は、無線ネットワークに接続する際に、接続可能な基地局ノードを検索し、それらの基地局ノード群をユーザーに表示する処理や、ユーザーからの指示に従って、接続可能な基地局ノード群の中の一つの基地局ノードに接続する処理や、ユーザからのコマンド入力に対応するコマンドを乗せたパケットを作成して無線ネットワークに送出する処理や、無線ネットワークから送られてくる画像データなどをユーザーに表示する処理などが実行されている。
【０１０８】
そのため、図９に例示する無線端末１３０の構成では、無線ネットワークへのインタフェース機能を提供する無線インタフェース処理部８０１と、無線インタフェースから受信したパケットに対応する処理を実行するアプリケーション実行部８０２と、無線ネットワークに接続した際に、無線ネットワーク上に存在する基地局ノードの検索処理や、その基地局ノードに関する情報を保持しておく基地局情報収集／管理部８０３と、無線ネットワークを介して基地局ノードにコマンドを送出する際のユーザーからのコマンド入力処理や、処理結果のユーザーへの通知処理などを実行するユーザーインタフェース処理部８０４と、無線ネットワークから受信した画像情報の受信処理を実行する画像データ受信処理部８０５と、画像データ受信処理部８０５やユーザーインタフェース処理部８０４からのデータ等を表示するモニタ８０６とが存在する。
【０１０９】
このような機能を持たせることによって、図４や図５に示したような無線端末接続時の基地局選択機能が実現できるようになる。
【０１１０】
以上、第１の実施形態について説明してきた。前述したように、従来の無線ネットワークが、単一の音声サービスや同質のデータサービス（無線ＬＡＮのようにコンテンツのＱＯＳは無視したもの）の提供を基本としていたのに対し、ＩＥＥＥ１３９４と無線ネットワーク融合させたネットワークシステムにおいては、その接続する基地局によって、提供可能となるサービスの種類が大幅に異なることが予想される。つまり、ある基地局に接続した場合には、その基地局が接続しているＩＥＥＥ１３９４バス上のサービスしか提供されないことになり、実際にユーザーが必要としているサービスが提供できないという場合が生じる可能性があり、問題であった。
【０１１１】
本実施形態によれば、無線インタフェースで接続された無線端末に対して、１３９４バス上を転送されている各種の情報を送信することができ、あたかも、無線インタフェースによって１３９４バスに接続したかのようにデータ通信を実行できるようになる。また、家庭内に複数のＩＥＥＥ１３９４バスが存在し、それらの上で異なるコンテンツ（サービス）が乗っている場合でも、無線端末から所望のＩＥＥＥ１３９４バスに接続することができるようになる。
【０１１２】
（第２の実施形態）
次に、本発明の第２の実施形態について説明する。
【０１１３】
図１０に、無線ネットワークとは別の家庭内ネットワークとしてＩＥＥＥ１３９４バスを用いた実施形態を示す。
【０１１４】
図１０では、第１の実施形態の場合と同様に、家庭内に２つのＩＥＥＥ１３９４バス３０，４０が存在し、それぞれのＩＥＥＥ１３９４バス上に複数のノードが接続された状態を示している。ＩＥＥＥ１３９４バス３０上には、１３９４ノード９０１と無線１３９４ノード９１０が存在し、ＩＥＥＥ１３９４バス４０上には、１３９４ノード９０２と無線１３９４ノード９２０が存在する。また、家庭内には、無線１３９４ノード９１０，９２０と無線ネットワークによって接続可能な無線端末９３０が存在する。
【０１１５】
本実施形態においては、この無線ネットワークが無線ＬＡＮのようなＭＡＣ（Ｍｅｄｉａ  Ａｃｃｅｓｓ  Ｃｏｎｔｒｏｌ）プロトコルを用いた、シェアードメディア型でパケットベースのネットワークである場合を場合を示しており、無線端末９３０と無線１３９４ノード９１０と無線１３９４ノード９２０とが同等の無線端末としてデータ転送を行っている。
【０１１６】
また、各１３９４ノード９０１，９０２や無線端末９３０内には、それらの構成要素（ＳｕｂＵｎｉｔ）として、１３９４ノード９０１内にＶＴＲ  ＳｕｂＵｎｉｔ９０１１とチューナーＳｕｂＵｎｉｔ９０１２が、１３９４ノード９０２内にＤＶＤ  ＳｕｂＵｎｉｔ９０２１とＤｉｓｃ  ＳｕｂＵｎｉｔ９０２２が、無線端末９３０内にデコーダＳｕｂＵｎｉｔ９３０１が存在している。
【０１１７】
本実施形態においても、第１の実施形態の場合と同様に、ＩＥＥＥ１３９４バス上に存在するノードと無線ネットワーク上に存在するノードが、お互いに直接認識し合うのではなく、各々のノード内に存在する構成要素（例えば、ＡＶ／ＣプロトコルにおけるＳｕｂＵｎｉｔ）のレベルで認識し合う場合を想定している。
【０１１８】
この場合の、無線端末９３０やＩＥＥＥ１３９４バス上の１３９４ノード９１０，９２０が認識するネットワークの構成例を図１１に示す。図１１には、無線端末９３０から認識されるネットワーク構成図（図１１（ａ））と、各ＩＥＥＥ１３９４バス側から認識されるネットワーク構成図（図１１（ｂ））が示されている。
【０１１９】
具体的には、図１１（ａ）に示すように、無線端末９３０は、無線ネットワーク上に３つの無線端末が存在するように認識し、各無線１３９４ノード内に、それらの無線１３９４ノードが接続しているＩＥＥＥ１３９４バス上の１３９４ノード内のＳｕｂＵｎｉｔ情報が見えている。ただし、本実施形態では無線ネットワークが無線ＬＡＮ的（シェーアドメディア型）に運用されているので、無線端末９３０は常に無線１３９４ノード９１０や無線１３９４ノード９２０に接続しているではなく、なんらかのＭＡＣプロトコルに従ったタイミングにしたがって、所望の無線１３９４ノードに対してパケットを送出するようになっている。
【０１２０】
また、図１１（ｂ）に示すように、ＩＥＥＥ１３９４バス３０では、無線端末９３０内のＳｕｂＵｎｉｔ９３０１が無線１３９４ノード９１０内に存在するように認識され、ＩＥＥＥ１３９４バス４０では、無線端末９３０内のＳｕｂＵｎｉｔ９３０１が無線１９３４ノード９２０内に存在するように認識されている。
【０１２１】
図１１（ｂ）においては、各ＩＥＥＥ１３９４バス３０，４０の間では、各々のＩＥＥＥ１３９４バス上のＳｕｂＵｎｉｔが認識できない場合を示しているが、図１０のように無線区間が無線ＬＡＮのように運用されている場合には、無線１３９４ノード９１０と無線１３９４ノード９２０が、お互いに認識し合う場合も考えられる。この場合の、ＩＥＥＥ１３９４バス側からのネットワーク全体の見え方を図１２に示す。図１２では、無線１３９４ノード９１０内には、無線端末９３０内のＳｕｂＵｎｉｔとともに、ＩＥＥＥ１３９４バス４０上の１３９４ノード９０２内のＳｕｂＵｎｉｔが両方存在するように見えている。また、無線１３９４ノード９２０内には、無線端末９３０内のＳｕｂＵｎｉｔとともに、ＩＥＥＥ１３９４バス３０上の１３９４ノード９０１内のＳｕｂＵｎｉｔが両方存在するように見えている。この場合には、ＩＥＥＥ１３９４バス間でのデータ転送も可能となる。
【０１２２】
以下の例では、無線端末９３０がパケットを送出する先の無線１３９４ノードを、その内部のＳｕｂＵｎｉｔ情報によって選択する場合について述べる。ここで、ネットワーク全体が図１２のように認識されている場合には、無線端末９３０と無線１３９４ノード９１０，９２０の間での通信と共に、無線１３９４ノード９１０，９２０間での通信も実行されているが、これについての説明ここでは省略する。
【０１２３】
図１３に、無線端末９３０が各無線１３９４ノード内のＳｕｂＵｎｉｔ情報を読み出し、その読み出したＳｕｂＵｎｉｔ情報に基づいて、制御コマンド（データの再生等）を送出する先の無線１３９４ノードを選択する場合の処理シーケンスの一例を示す。
【０１２４】
このとき、無線１３９４ノード９１０は、自ノード内のＳｕｂＵｎｉｔ情報として１３９４ノード９０１内のＳｕｂＵｎｉｔ情報を無線端末９３０に通知し、無線１３９４ノード９２０は、自ノード内のＳｕｂＵｎｉｔ情報として１３９４ノード９０２内のＳｕｂＵｎｉｔ情報を無線端末９３０に通知する。
【０１２５】
以下の処理シーケンスにおいては、ユーザーがＤＶＤ  ＳｕｂＵｎｉｔへの操作を行ないたい場合の例を示しており、無線端末９３０が無線１３９４ノード９２０を選択してパケットを送出するようになっている。
【０１２６】
具体的な処理の内容を以下に示す。
【０１２７】
（１）無線１３９４ノード９１０が、ＩＥＥＥ１３９４バス３０上のノード内のＳｕｂＵｎｉｔ情報を収集し、それらを自ノード内のＳｕｂＵｎｉｔ情報とする。
【０１２８】
（２）無線１３９４ノード９２０が、ＩＥＥＥ１３９４バス４０上のノード内のＳｕｂＵｎｉｔ情報を収集し、それらを自ノード内のＳｕｂＵｎｉｔ情報とする。
【０１２９】
（３）ユーザーが無線端末９３０の電源をオンする（あるいは、例えば無線端末９３０が無線ネットワークに加入するなどのことが発生する）。
【０１３０】
（４）無線端末９３０が、無線ネットワーク上の他の無線端末や無線１３９４ノードに対し、そのＳｕｂＵｎｉｔ情報の開示を要求するパケットを送出する。このときのパケットの宛先はブロードキャストアドレスである。
【０１３１】
（５）無線１３９４ノード９１０，９２０が、自ノード内のＳｕｂＵｎｉｔ情報を無線端末９３０に通知する。
【０１３２】
（６）無線端末９３０が、無線１３９４ノード９１０，９２０から通知されたＳｕｂＵｎｉｔ情報を収集し、その一覧を作成する。また、無線ネットワーク上に存在する無線１３９４ノードの一覧を作成する。
【０１３３】
（７）無線端末９３０上のモニタなどに、作成した一覧情報を表示する。
【０１３４】
（８）ユーザーは、所望のサービス（ＤＶＤ  ＳｕｂＵｎｉｔ）を持つ無線１３９４ノード９２０を選択し、ＤＶＤ  ＳｕｂＵｎｉｔの制御画面を要求する。
【０１３５】
（９）モニタ画面などを通して、要求が無線端末９３０に通知される。
【０１３６】
（１０）無線端末９３０が、無線１３９４ノード９２０に対してＤＶＤ  ＳｕｂＵｎｉｔの制御画面情報（「再生」や「停止」などのコマンドが入力できる制御画面）を要求する。
【０１３７】
（１１）無線１３９４ノード９２０が、要求に従ってＤＶＤ  ＳｕｂＵｎｉｔの制御画面を通知する。このとき、必要であれば制御画面情報を１３９４ノード９０２から入手することも可能である。
【０１３８】
（１２）無線端末９３０上のモニタなどに、通知された制御画面を表示する。
【０１３９】
（１３）ユーザーが、表示された制御画面から所望のコマンド（例えば「再生」コマンド）を入力する。
【０１４０】
（１４）モニタ画面などを通して、コマンドが無線端末９３０に通知される。
（１５）無線端末９３０が、無線１３９４ノード９２０内のＤＶＤ  ＳｕｂＵｎｉｔ９０２１に対して、入力されたコマンド「再生」を送信する。
【０１４１】
（１６）無線１３９４ノード９２０が、受信したコマンドを無線ネットワーク上のパケットからＩＥＥＥ１３９４バス上のパケットに乗せ替える（パケット変換処理を行う）。
【０１４２】
（１７）無線１３９４ノード９２０が、パケット変換したＩＥＥＥ１３９４パケット（再生コマンドが乗っている）を１３９４ノード９０２内のＤＶＤ  ＳｕｂＵｎｉｔ９０２１に転送する。
【０１４３】
（１８）１３９４ノード９０２が、受信したコマンドに対応する処理を実行する。
【０１４４】
上記のような一連の処理によって、無線端末から所望のサービス（ＳｕｂＵｎｉｔ）へのコマンドの送信が可能となる。
【０１４５】
ただし、処理手順は上記のような手順だけではなく、例えば、処理（７）の段階で表示される情報に、各ＳｕｂＵｎｉｔの制御画面情報なども含ませてしまい、処理（８）でユーザーが入力するのがＤＶＤ  ＳｕｂＵｎｉｔの選択ではなく、処理（１３）のようなＤＶＤ  ＳｕｂＵｎｉｔへのコマンドの入力であるような場合も考えられる。
【０１４６】
また、実際の「再生」コマンドに対応する処理としては、再生した映像を無線端末９３０に転送するための、ＩＥＥＥ１３９４バス上でのＩｓｏｃｈｒｏｎｏｕｓチャネルの獲得処理や無線ネットワーク上でのリソース獲得処理や、１３９４ノード９０２内や無線端末９３０内でのＳｕｂＵｎｉｔ間の接続コマンドの送受信処理などの処理が必要であるが、ここではそれらの処理は省略している。
【０１４７】
図１４に、無線端末が無線ネットワークに接続する際の、その無線ネットワーク内に存在する無線１３９４ノードの検索処理の前に、ユーザーが所望の（接続して制御を行いたい／サービスを受けたい）とするサービスやＳｕｂＵｎｉｔのタイプを入力する場合の処理シーケンスの一例を示す。
【０１４８】
このとき、無線端末は、ユーザーが望むであろうサービスを想定し、それらを無線端末のモニタ上に表示する。そして、その表示されたサービスの中にユーザーの所望するサービスが在ればそれを選択し、無ければ、図１３に示した（４）以降の処理をスタートさせることになる。
【０１４９】
以下の例では、ユーザーがＤＶＤ  ＳｕｂＵｎｉｔからのサービスを所望している場合について示している。
【０１５０】
具体的な処理の内容を以下に示す。
【０１５１】
（１）無線１３９４ノード９１０が、ＩＥＥＥ１３９４バス３０上のノード内のＳｕｂＵｎｉｔ情報を収集し、それらを自ノード内のＳｕｂＵｎｉｔ情報とする。
【０１５２】
（２）無線１３９４ノード９２０が、ＩＥＥＥ１３９４バス４０上のノード内のＳｕｂＵｎｉｔ情報を収集し、それらを自ノード内のＳｕｂＵｎｉｔ情報とする。
【０１５３】
（３）ユーザーが無線端末９３０の電源をオンする（あるいは、例えば無線端末９３０が無線ネットワークに加入するなどのことが発生する）。
【０１５４】
（４）無線端末９３０上のモニタなどに、無線端末９３０自身の制御画面を表示する。
【０１５５】
（５）ユーザーは、表示されたサービス種別の中から所望のサービス（ＤＶＤＳｕｂＵｎｉｔ）を選択する。
【０１５６】
（６）モニタ画面などを通して、要求が無線端末９３０に通知される。
【０１５７】
（７）無線端末９３０が、無線ネットワーク上の他の無線端末や無線１３９４ノードに対し、ＤＶＤ  ＳｕｂＵｎｉｔを検索する旨の要求を記したパケットを送出する。このときのパケットの宛先はブロードキャストアドレスである。
【０１５８】
（８）無線１３９４ノード９２０が、自ノード内にＤＶＤ  ＳｕｂＵｎｉｔが存在する旨を通知する。
【０１５９】
（９）無線端末９３０が、無線１３９４ノード９２０に対してＤＶＤ  ＳｕｂＵｎｉｔの制御画面情報（「再生」や「停止」などのコマンドが入力できる制御画面）を要求する。
【０１６０】
（１０）無線１３９４ノード９２０が、要求に従ってＤＶＤ  ＳｕｂＵｎｉｔ９０２１の制御画面を通知する。このとき、必要であれば制御画面情報を１３９４ノード９０２から入手することも可能である。
【０１６１】
（１１）無線端末９３０上のモニタなどに、通知された制御画面を表示する。
【０１６２】
（１２）ユーザーが、表示された制御画面から所望のコマンド（例えば「再生」コマンド）を入力する。
【０１６３】
（１３）モニタ画面などを通して、コマンドが無線端末９３０に通知される。
（１４）無線端末９３０が、無線１３９４ノード９２０内のＤＶＤ  ＳｕｂＵｎｉｔ９０２１に対して、入力されたコマンド「再生」を送信する。
【０１６４】
（１５）無線１３９４ノード９２０が、受信したコマンドを無線ネットワーク上のパケットからＩＥＥＥ１３９４バス上のパケットに乗せ替える（パケット変換処理を行う）。
【０１６５】
（１６）無線１３９４ノード９２０が、パケット変換したＩＥＥＥ１３９４パケット（再生コマンドが乗っている）を１３９４ノード９０２内のＤＶＤ  ＳｕｂＵｎｉｔ９０２１に転送する。
【０１６６】
（１７）１３９４ノード９０２が、受信したコマンドに対応する処理を実行する。
【０１６７】
上記のような一連の処理により、無線端末から所望のサービス（ＳｕｂＵｎｉｔ）へのコマンドの送信が可能となる。
【０１６８】
ただし、処理手順は上記のような手順だけではなく、例えば、処理（８）の段階でＤＶＤ  ＳｕｂＵｎｉｔを有する旨を通知してくる無線１３９４ノードが複数存在するような場合が考えられる。このような場合には、これら複数のＤＶＤＳｕｂＵｎｉｔを有する無線１３９４ノードの中から、ユーザーが所望の無線１３９４ノードを選択する処理が必要になる。これは、図１３の処理（６）から（９）までの一連の処理と同様に実行可能である。
【０１６９】
また、図１３の処理シーケンスの場合と同様に、実際の「再生」コマンドに対応する処理としては、再生した映像を無線端末９３０に転送するための、ＩＥＥＥ１３９４バス上でのＩｓｏｃｈｒｏｎｏｕｓチャネルの獲得処理や無線ネットワーク上でのリソース獲得処理や、１３９４ノード９０２内や無線端末９３０内でのＳｕｂＵｎｉｔ間の接続コマンドの送受信処理などの処理が必要であるが、ここではそれらの処理は省略している。
【０１７０】
次に、図１５に、本実施形態における無線ネットワーク上で転送される無線パケットのパケット構成の一例を示す。図１５では、無線パケットの中身の情報を識別するためのコマンド識別フィールドを設けている。これによって、無線ネットワーク上を転送されるパケットがどのような種類のコマンドであるのかを無線１３９４ノードや無線端末が認識できるようになる。そのコマンド識別子の具体例を同様に図１６に示している。
【０１７１】
次に、図１７／図１８に、図１３／図１４の処理の中で、無線端末９３０の画面上に表示される、無線ネットワーク上の無線１３９４ノード内のＳｕｂＵｎｉｔ情報の一覧や、各ＳｕｂＵｎｉｔの制御画面情報の一例や、無線端末９３０が初期状態として表示する画面の一例を示す。
【０１７２】
図１７（ａ）に、図１３の処理（７）で表示される表示画面の一例を示す。本実施形態においては、２つの無線１３９４ノード９１０，９２０が存在する構成になっているので、図１７（ａ）においても、それら２つの無線１３９４ノードに関する情報が表示されている。具体的には、無線１３９４ノード９１０の下にＶＴＲとチューナーが存在し、その中のコンテンツ情報やチャネル情報が見えるようになっている。このコンテンツ情報やチャネル情報は、図１３の処理においては、無線１３９４ノードが通知するＳｕｂＵｎｉｔ情報の中に含ませる方法が考えられる。
【０１７３】
図１７（ｂ）に、図１３の処理（１２）や図１４の処理（１１）で表示されるＤＶＤ  ＳｕｂＵｎｉｔの制御画面の一例を示す。図１７（ｂ）では、表示されているのがＤＶＤ  ＳｕｂＵｎｉｔであることや、そのＤＶＤ  ＳｕｂＵｎｉｔ内のコンテンツ一覧とともに、それらのコンテンツへのコマンド（「再生」や「停止」等）に対応するコマンドキー）が表示されている。
【０１７４】
さらに、図１８に、図１４の処理（４）で表示される、無線端末９３０の初期表示画面の一例を示す。図１８では、通常の家庭内無線ネットワークで使用されると予想される、ＶＴＲ、ＴＶ、ＳＴＢ（Ｓｅｔ  Ｔｏｐ  Ｂｏｘ）、ＤＶＤ、Ｄｉｓｃ等がＷｅｌｌ  Ｋｎｏｗｎなサービスとして表示されている。これらの表示されているサービスを選択すると、図１４に示したような一連の処理によって所望のサービスが受けられるようになる。また、図１８には「その他」という選択肢が存在する。これは、先に示したようなＷｅｌｌ  Ｋｎｏｗｎなサービスではないものを選択する場合に使用するキーであり、これを選択すると、図１３の処理をスタートすることになる。
【０１７５】
図１９に、本実施形態の無線１３９４ノード９１０，９２０の内部構成のブロック図の一例を示す。
【０１７６】
本実施形態においては、無線１３９４ノード（９１０，９２０）において、ＩＥＥＥ１３９４バス上の各ノード内のＳｕｂＵｎｉｔ情報を無線ネットワーク側に開示する処理や、無線ネットワーク上の無線端末内のＳｕｂＵｎｉｔ情報をＩＥＥＥ１３９４バス側に開示する処理や、それらのＳｕｂＵｎｉｔ情報を用いたルーティング処理などが実行されている。また、無線端末にＩＥＥＥ１３９４バス上のＳｕｂＵｎｉｔ情報や、各ＳｕｂＵｎｉｔ制御情報を通知するための処理なども実行されている。
【０１７７】
このことから、図１９に例示する無線１３９４ノード（９１０，９２０）の構成では、無線ネットワークへのインタフェース機能を提供する無線インタフェース処理部１５０１と、無線ネットワーク上を転送するパケットとＩＥＥＥ１３９４バス上を転送するパケットの間でのパケット乗せ替え処理を実行するパケット変換処理部１５０２と、無線端末から自ノード内のＳｕｂＵｎｉｔ情報の開示が求められた場合に、自ノードが接続しているＩＥＥＥ１３９４バス上の１３９４ノード内のＳｕｂＵｎｉｔ情報の一覧を開示したり、各ＳｕｂＵｎｉｔの制御情報の開示が求められた場合に、そのＳｕｂＵｎｉｔの制御情報を開示する、もしくは該当する１３９４ノードから制御情報を入手するなどの処理を実行するＳｕｂＵｎｉｔ情報・制御情報要求処理部１５０３と、無線端末からのＳｕｂＵｎｉｔ情報開示要求受信時に開示する、自ノードが接続しているＩＥＥＥ１３９４バス上の１３９４ノード内に存在するＳｕｂＵｎｉｔ情報の一覧を作成する無線１３９４ノード内ＳｕｂＵｎｉｔ情報作成部１５０４と、自ノードが接続している無線ネットワーク上の無線端末内に存在するＳｕｂＵｎｉｔ情報を収集する無線端末内ＳｕｂＵｎｉｔ情報収集部１５０５と、ＩＥＥＥ１３９４バス上の１３９４ノード内に存在するＳｕｂＵｎｉｔ情報を収集するＳｕｂＵｎｉｔ情報収集部１５０６と、無線端末内ＳｕｂＵｎｉｔ情報収集部１５０５やＳｕｂＵｎｉｔ情報収集部１５０６で収集された、無線ネットワーク上のＳｕｂＵｎｉｔ情報とＩＥＥＥ１３９４バス上のＳｕｂＵｎｉｔ情報を基に、自ノード内でのパケット転送のためのルーティングテーブルを作成／保持するルータィングテーブル１５０７と、ＩＥＥＥ１３９４バスへのインタフェース機能を提供するＩＥＥＥ１３９４バスインタフェース処理部１５０８とが存在する。
【０１７８】
ここで、図１３の処理（１０）（１１）や図１４の処理（９）（１０）に示したような、ＳｕｂＵｎｉｔの制御情報を該当する１３９４ノードから入手する場合には、ＳｕｂＵｎｉｔ情報・制御情報要求処理部１５０３とＩＥＥＥ１３９４インタフェース処理部１５０８との間（図１９中の点線部分）が接続されることとなる。
【０１７９】
図２０に、本実施形態の無線端末９３０の内部構造のブロック図の一例を示す。
【０１８０】
この無線端末の内部構成は、基本的に第１の実施形態の場合の内部構成（図９）と同様である。異なるのは、第１の実施形態では接続する相手が基地局ノードであるのに対し、本実施形態では無線１３９４ノード（無線端末９３０と同等の位置づけ）である点である。よって、図９の構成での基地局情報収集／作成部８０３が図２０の構成では無線１３９４ノード情報収集／作成部１６０３となっている。
【０１８１】
図２０に例示する無線端末９３０の構成では、無線ネットワークへのインタフェース機能を提供する無線インタフェース処理部１６０１と、無線インタフェースから受信したパケットに対応する処理を実行するアプリケーション実行部１６０２と、無線ネットワークに加入した際に、無線ネットワーク上に存在する無線１３９４ノードの検索処理や、その無線１３９４ノードに関する情報を保持しておく無線１３９４ノード情報収集／管理部１６０３と、無線ネットワークを介して無線１３９４ノードにコマンドを送出する際のユーザーからのコマンド入力処理や、処理結果のユーザーへの通知処理などを実行するユーザーインタフェース処理部１６０４と、無線ネットワークから受信した画像情報の受信処理を実行する画像データ受信部１６０５と、画像データ受信部１６０５やユーザーインタフェース処理部１６０４からのデータ等を表示するモニタ１６０６と、が存在する。
【０１８２】
このような機能を持たせることによって、図１３や図１４に示したような無線ネットワーク上の無線１３９４ノード内のＳｕｂＵｎｉｔ情報の検索処理や、無線端末から送出するパケットの転送先となる無線１３９４ノードの選択機能が実現できるようになる。
【０１８３】
以上のように、本実施形態によれば、無線インタフェースで接続された無線端末に対して、１３９４バス上を転送されている各種の情報を送信することができ、あたかも、無線インタフェースによって１３９４バスに接続したかのようにデータ通信を実行できるようになる。また、家庭内に複数のＩＥＥＥ１３９４バスが存在し、それらの上で異なるコンテンツ（サービス）が乗っている場合でも、無線端末から所望のＩＥＥＥ１３９４バスに接続することができるようになる。また、本実施形態のように無線ネットワークが無線ＬＡＮのようなシェアードメディア型の形態で運用されている場合でも、所望のサービスを検索することが出来、必要なサービスをＩＥＥＥ１３９４バスから入手できるようになる。
【０１８４】
（第３の実施形態）
次に、本発明の第３の実施形態について説明する。
【０１８５】
図２１に、無線ネットワークとは別の家庭内ネットワークとしてＩＥＥＥ１３９４バスを用いた場合の実施形態を示す。
【０１８６】
図２１では、家庭内に２つのＩＥＥＥ１３９４バス５０，６０が存在し、それぞれのＩＥＥＥ１３９４バス上に複数の１３９４ノードが接続された状態を示している。本実施形態においては、これらのＩＥＥＥ１３９４バス上においてＨＡＶｉプロトコルが実行されている場合について説明する。
【０１８７】
図２１では、ＩＥＥＥ１３９４バス５０上には、１３９４ノード１７０１と基地局ノード１７１０とＶＴＲ１７０３が存在し、ＩＥＥＥ１３９４バス６０上には、１３９４ノード１７０２と基地局ノード１７２０とＤＶＤ１７０４が存在する。また、家庭内には、基地局ノード１７１０、１７２０と無線ネットワークによって接続可能な無線端末１７３０が存在する。
【０１８８】
本実施形態においては、第１の実施形態と同様に、無線ネットワークが周波数分割多重／時分割多重されて運用されている場合を示しており、無線端末１７３０が、あらかじめ接続する基地局ノードを選択してから無線ネットワーク上でのデータ通信を開始する場合を示している。
【０１８９】
ここで、ＨＡＶｉプロトコルにおいては、高機能のノード（ＨＡＶｉにおけるＦＡＶやＩＡＬ）内にはレジストリと呼ばれるＨＡＶｉプロトコルにおける各ノード内の構成要素情報（Ｓｏｆｔｗａｒｅ  Ｅｌｅｍｅｎｔ情報など）が保持されることになっているため、図２１においても、１３９４ノード１７０１，１７０２と基地局ノード１７１０，１７２０内にレジストリ（１７０１２，１７０２２，１７１０２，１７２０２）が存在する。さらに、ＨＡＶｉプロトコルでは、低機能のノード（ＨＡＶｉプロトコルにおけるＢＡＶやＬＡＶ）を制御するためのソフトウェアモジュール（ＤＣＭ  Ｄｅｖｉｃｅ  Ｃｏｎｔｒｏｌ  Ｍｏｄｕｌｅ）が、ＨＡＶｉプロトコルが動いているネットワーク上の適当なノード内に存在することになっているため、図２１においても、低機能のノードであるＶＴＲ１７０３とＤＶＤ１７０４を制御するためのソフフトウェアモジュールが、それぞれ１３９４ノード１７０１内のＶＴＲ−ＤＣＭ１７０１１、１３９４ノード１７０２内のＤＶＤ−ＤＣＭ１７０２１として存在する。
【０１９０】
また、具体的にＩＥＥＥ１３９４バス上の機器を制御する場合には、コマンドを送りたいノードが、これらＤＣＭと呼ばれるソフトウェアモジュールに対してコマンド（ＨＡＶｉコマンド）を送り、このＤＣＭが実際に制御される機器に対してコマンド（例えばＡＶ／Ｃコマンド）を送出する。このときの、コマンドを送りたいノードとＤＣＭとの間でのコマンド転送方式もＨＡＶｉプロトコルにおいて定義されている（例えばＤＣＡを用いる方式やＤＤＩを用いる方式）。例えば、基地局ノード１７１０がＶＴＲ１７０３に制御コマンドを送る場合には、基地局ノード１７１０に、ＶＴＲ１７０３の制御画面情報がＶＴＲ−ＤＣＭ１７０１１から送られ、この制御画面情報を用いて基地局ノード１７１０を利用しているユーザーがＶＴＲ１７０３に対して制御コマンドを送る方法などがあげられる。
【０１９１】
ただし、本実施形態では無線ネットワーク上ではＨＡＶｉプロトコルが動いていない場合を示しており、無線ネットワーク上では、第１の実施形態や第２の実施形態の場合と同様に、ＡＶ／Ｃプロトコルが実行されているものとし、無線端末１７３０内にデコーダＳｕｂＵｎｉｔ１７３０１が存在する。
【０１９２】
本実施形態においては、無線ネットワーク上ではＨＡＶｉプロトコルが動いていないため、無線端末１７３０からは、ＩＥＥＥ１３９４バス５０上の１３９４ノード１７０１内のＶＴＲ−ＤＣＭ１７０１１は、基地局ノード１７１０内のＶＴＲ  ＳｕｂＵｎｉｔ１７０１３として認識される。また、ＩＥＥＥ１３９４バス６０上の１３９４ノード１７０２内のＤＶＤ−ＤＣＭ１７０２１は、基地局ノード１７２０内のＤＶＤ  ＳｕｂＵｎｉｔ１７２０３として認識されることになる。このときの無線端末１７３０から認識されるネットワーク構成図を図２２に示す。このように認識されるため、本実施形態では、無線端末１７３０から送られるＡＶ／Ｃコマンドを基地局ノード１７１０あるいは基地局ノード１７２０においてＨＡＶｉコマンドに翻訳し、各ＩＥＥＥ１３９４バス上の所望のノード（ソフトウェアエレメント）に転送することになる。
【０１９３】
以下に、無線端末１７３０が接続する基地局を、基地局ノード１７１０にするのかあるいは基地局ノード１７２０にするのかを、各基地局ノードが接続しているＩＥＥＥ１３９４バス上のサービス情報（ＳｕｂＵｎｉｔ情報）を用いて、その接続する基地局ノードを選択し、その接続した基地局を介して所望の機器（以下の例ではＤＶＤ１７０４）に制御コマンドを送出する場合について述べる。
【０１９４】
図２３に、無線端末７３０がＩＥＥＥ１３９４バス６０上のＤＶＤ１７０４に対してコマンドを転送する場合の処理シーケンスの一例を示す。
【０１９５】
具体的な処理の内容を以下に示す。
【０１９６】
（１）ＩＥＥＥ１３９４バス６０のバスリセット発生時等に、各ノード間においてて自ノード内のソフトウェアエレメント情報の授受（レジストリ情報の収集）が実行される。基地局ノード１７２０は、レジストリ情報をもとにＡＶ／ＣプロトコルにおけるＳｕｂＵｎｉｔ情報を作成し、そのレジストリ情報とＳｕｂＵｎｉｔ情報の対応を記憶する。
【０１９７】
（２）ＩＥＥＥ１３９４バス５０のバスリセット発生時等に、各ノード間において自ノード内のソフトウェアエレメント情報の授受（レジストリ情報の収集）が実行される。基地局ノード１７１０は、レジストリ情報をもとにＡＶ／ＣプロトコルにおけるＳｕｂＵｎｉｔ情報を作成し、そのレジストリ情報とＳｕｂＵｎｉｔ情報の対応を記憶する。
【０１９８】
（３）ユーザーが無線端末１７３０の電源をオンする（あるいは、例えば無線端末１３０が無線ネットワークに加入するなどのことが発生する）。
【０１９９】
（４）無線端末１７３０が、ＢＣＣＨ上の情報を受信して基地局ノード１７１０，１７２０からの自己紹介情報を受信する。この自己紹介情報の中に、上記の処理（１）や（２）において各基地局ノードが作成したＳｕｂＵｎｉｔ情報が含まれている。
【０２００】
（５）無線端末１７３０が、基地局ノード１７１０，１７２０から送られてくる自己紹介情報を収集し、その一覧を作成する。
【０２０１】
（６）無線他端末１７３０上のモニタなどに、作成した一覧情報を表示する。
【０２０２】
（７）ユーザーは、所望のサービス（ＤＶＤ  ＳｕｂＵｎｉｔ）を持つ基地局ノード１７２０を選択する（実際には、ＤＶＤ  ＳｕｂＵｎｉｔ１７２０３を選択する）。
【０２０３】
（８）モニタ画面などを通して、コマンドが無線端末１７３０に入力される。
（９）無線端末１７３０が、ユーザーによって選択されたのが基地局ノード１７２０であり、その希望する制御対象がＤＶＤ  ＳｕｂＵｎｉｔ１７２０３であることを認識する。
【０２０４】
（１０）無線端末１７３０が、選択された基地局ノード１７２０に接続する。
【０２０５】
（１１）無線端末１７３０が、基地局ノード１７２０内のＤＶＤ  ＳｕｂＵｎｉｔ１７２０３に対して、制御画面の開示を要求する。
【０２０６】
（１２）基地局ノード１７２０が、受信した制御画面の開示要求の転送先がＤＶＤ−ＤＣＭ１７０２１であることを、そのレジストリ情報とＳｕｂＵｎｉｔ情報の対応表から認識し、ＤＶＤ−ＤＣＭに対して制御画面の開示を要求する（例えば、ＨＡＶｉプロトコルでのＤＤＩを用いる）。
【０２０７】
（１３）１３９４ノード１７０２が、ＤＶＤ１７０４の制御画面情報を基地局ノード１７２０に開示する（例えば、ＨＡＶｉプロトコルでのＤＤＩを用いる）。
【０２０８】
（１４）基地局ノード１７２０が、ＤＤＩによって開示された制御画面情報を、ＡＶ／Ｃプロトコルで認識可能な制御画面情報（例えばパネルＳｕｂＵｎｉｔなどの形式）に変換する。
【０２０９】
（１５）基地局ノード１７２０が、変換した制御画面情報を無線端末１７３０に開示し、ユーザーに制御画面情報が示される。
【０２１０】
（１６）ユーザーは、制御画面情報をもちいて所望のコマンド（例えば再生コマンドなど）を入力する。
【０２１１】
（１７）無線端末１７３０が、入力されたコマンドをＡＶ／Ｃコマンドの形式で基地局ノード１７２０に通知する。このときのコマンドの宛先となるＳｕｂＵｎｉｔはＤＶＤ  ＳｕｂＵｎｉｔ１７２０３である。
【０２１２】
（１８）基地局ノード１７２０が、受信したＡＶ／ＣコマンドをＨＡＶｉコマンドに変換する。
【０２１３】
（１９）基地局ノード１７２０が、変換したＨＡＶｉコマンドを１３９４ノード１７０２に通知する。このときのコマンドの宛先となるソフトウェアエレメントは、ＤＶＤ−ＤＣＭ１７０２１である。
【０２１４】
（２０）１３９４ノード１７０２が、受信したコマンドを翻訳して、ＤＶＤ１７０４が可能なコマンド（例えばＡＶ／Ｃコマンド）を作成する。
【０２１５】
（２１）１３９４ノード１７０２が、作成したコマンドをＤＶＤ１７０４に通知する。
【０２１６】
（２２）ＤＶＤ１７０４が、受信したコマンドに対応する処理を実行する。
【０２１７】
上記のような一連の処理により、ＨＡＶｉプロトコルが実行されていない無線ネットワーク上の端末から、ＨＡＶｉプロトコルが実行されているＩＥＥＥ１３９４バス上のノードへのコマンド（ＡＶ／Ｃコマンドのような家電制御コマンド）の通知が可能となる。
【０２１８】
ここで、上記の例では、ＤＶＤ１７０４が基地局ノード１７２０内のＳｕｂＵｎｉｔとして認識されているが、ＤＶＤ１７０４内のＳｕｂＵｎｉｔが基地局ノード１７２０内のＳｕｂＵｎｉｔとして認識される場合もある。ただし、どちらの場合においても、ＤＶＤ−ＤＣＭ１７０２１と基地局ノード１７２０内のＳｕｂＵｎｉｔでＤＶＤ１７０４に関連するものとの間の対応関係を基地局ノード１７２０は保持している。
【０２１９】
また、上記の処理（７）でユーザーに開示される画面情報は、例えば図６と同様の情報によって実現可能である。
【０２２０】
さらに、処理（１６）においてユーザーに開示される制御画面情報には、ＤＶＤ１７０４を制御するためのコマンド（再生や停止など）に対応するボタン情報などが含まれている。
【０２２１】
上記の処理においては、ユーザーからの指示によって基地局ノードを選択する方式の場合を示したが、本実施形態は、このような場合に限られたものではなく、例えば、図５に示した処理のように、接続可能な基地局ノードの情報をユーザーに順次開示していく方法でも実現可能である。
【０２２２】
さらに本実施形態では、無線ネットワーク上ではＨＡＶｉプロトコルが実行されていない場合を示したが、無線ネットワーク上でＨもＡＶｉプロトコルが実行される場合には、図２３の処理（４）から（７）にかけて通知／開示される情報がＳｕｂＵｎｉｔ情報ではなくレジストリ情報となる。また、処理（１１）での制御画面情報の開示要求の通知先が、基地局ノード１７２０内のＤＶＤ  ＳｕｂＵｎｉｔ１７０３ではなく、１３９４ノード１７０２内のＤＶＤ−ＤＣＭ１７０２１になり、ＤＶＤ１７０４のＤＣＭに直接制御画面情報の開示を要求することができるようになる。
【０２２３】
また、無線端末１７３０が処理（１３）でＤＶＤ−ＤＣＭ１７０２１から開示される制御画面情報を処理できるのであれば、この制御画面情報をそのまま無線端末１７３０に通知し、この制御画面を用いてユーザーがコマンドを入力するようにしても良い。
【０２２４】
図２４に、本実施形態の基地局ノード（１７１０，１７２０）の内部構成のブロック図の一例を示す。
【０２２５】
本実施形態の基地局ノード（１７１０，１７２０）は、基本的に第１の実施形態の基地局ノードの構成と同様であるが、第１の実施形態の場合とは、ＳｕｂＵｎｉｔ情報収集部７０７がレジストリ情報収集部２００７になった点が異なっている。また、レジストリ情報収集部２００７になったことによって、基地局ノード内ＳｕｂＵｎｉｔ情報作成部２００４における機能として、ＩＥＥＥ１３９４バス上のレジストリ情報から基地局ノード内のＳｕｂＵｎｉｔ情報を作成する機能が追加されている。また、ルーティングテーブル２００８には、上記レジストリ情報とＳｕｂＵｎｉｔ情報の対応関係が記憶／保持されており、これによって基地局ノード内でのパケットルーティング処理が実行されている。
【０２２６】
このことから、図２４に例示する基地局ノード（１７１０，１７２０）の構成では、無線ネットワークへのインタフェース機能を提供する無線インタフェース処理部２００１と、無線ネットワーク上を転送するパケットとＩＥＥＥ１３９４バス上を転送するパケットの間でのパケット乗せ替え処理を実行するパケット変換処理部２００２と、無線ネットワーク上に無線端末が接続した際の接続処理を実行する無線端末接続処理部２００３と、無線端末から自ノード内のＳｕｂＵｎｉｔ情報の開示が求められた際に、自ノードが接続しているＩＥＥＥ１３９４バス上のレジストリ情報を基に作成したＳｕｂＵｎｉｔ情報の一覧を開示するＳｕｂＵｎｉｔ情報要求処理部２００５と、無線端末の接続時や無線端末からのＳｕｂＵｎｉｔ情報開示要求受信時に開示する、自ノードが接続しているＩＥＥＥ１３９４バス上のレジストリ情報を基に自ノード内に存在するＳｕｂＵｎｉｔ情報の一覧を作成する基地局ノード内ＳｕｂＵｎｉｔ情報作成部２００４と、自ノードが接続している無線ネットワーク上の無線端末内に存在するＳｕｂＵｎｉｔ情報を収集する無線端末内ＳｕｂＵｎｉｔ情報収集部２００６と、ＩＥＥＥ１３９４バス上の１３９４ノード内に存在するソフトウェアエレメントなどのレジストリ情報を収集するレジストリ情報収集部２００７と、無線端末内ＳｕｂＵｎｉｔ情報収集部２００６やレジストリ情報収集部２００７で収集された、無線ネットワーク上のＳｕｂＵｎｉｔ情報とＩＥＥＥ１３９４バス上のレジストリ情報を基に、自ノード内でのパケット転送のためのルーティングテーブルを作成／保持するルーティングテーブル２００８と、ＩＥＥＥ１３９４バスへのインタフェース機能を提供するＩＥＥＥ１３９４バスインタフェース処理部２００９とが存在する。
【０２２７】
なお、本実施形態の無線端末１７３０の内部構成は、第１の実施形態の場合と同じ構成で実現可能である。
【０２２８】
以下に、無線ネットワーク上でもＨＡＶｉプロトコルが実行されている場合について、この場合に図２４の基地局ノードの構成から変更される項目を示す。  ・基地局ノード内ＳｕｂＵｎｉｔ情報作成部２００４が基地局ノード内レジストリ情報作成部となり、ＩＥＥＥ１３９４バス上のレジストリ情報を無線ネットワーク側に開示する処理を実行する。
・ＳｕｂＵｎｉｔ情報要求処理部２００５が、レジストリ情報要求処理部となり、無線端末からのレジストリ情報の開示要求を処理することになる。
・無線端末内ＳｕｂＵｎｉｔ情報収集部２００６が、無線端末内レジストリ情報収集部となり、無線端末内のレジストリ情報を収集する。
・ルータィングテーブル２００８に記憶するのが、レジストリ情報に記載されているソフトウェアエレメントの識別子であるＳＥＩＤの対応表となる。
【０２２９】
また、無線端末においては、基地局ノード内の情報として収集するのがＳｕｂＵｎｉｔ情報からレジストリ情報になる点と、アプリケーション実行部において実行されるものにＨＡＶｉプロトコルが追加される点が第１の実施形態の場合との違いとなる。
【０２３０】
なお、以上では、無線ネットワークとは別のネットワークとしてＩＥＥＥ１３９４バスを例にとって説明したが、もちろん、本発明は無線ネットワークとは別のネットワークとしてＩＥＥＥ１３９４バス以外のネットワークを用いたものにも適用可能である。
【０２３１】
また、以上では、各実施形態において家庭網を例にとって説明したが、もちろん、本発明は家庭網以外のネットワークにも適用可能である。
【０２３２】
なお、以上の各機能は、ソフトウェアとしても実現可能である。
【０２３３】
また、本実施形態は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【０２３４】
本発明は、上述した実施の形態に限定されるものではなく、その技術的範囲において種々変形して実施することができる。
【０２３５】
【発明の効果】
本発明によれば、無線ノードから送られてくるその無線ノードが提供可能なサービス等の情報を基に、ユーザーが接続する無線ノードを選択できるようになる。これによって、ユーザーは自分が受けたいサービスを提供可能な無線ノードを明示的に指定できるようになり、確実に所望のサービスを受けることができるようになる。
【０２３６】
また、本発明によれば、無線ノードから送られてくるその無線ノードが提供可能なサービス等の情報およびその無線ノードが入手した他の無線ノードが提供可能なサービス等の情報を基に、ユーザーが接続する無線ノードを選択できるようになる。これによって、ユーザーは自分が受けたいサービスを提供可能な無線ノードを明示的に指定できるようになり、確実に所望のサービスを受けることができるようになる。
【図面の簡単な説明】
【図１】本発明の第１の実施形態に係る家庭内ネットワークの一例を示す図
【図２】無線端末やＩＥＥＥ１３９４バス上のノードが認識するネットワーク構成の一例を示す図
【図３】無線ネットワークにおける無線周波数の利用方式の一例を示す図
【図４】基地局ノードがＳｕｂＵｎｉｔ情報も含めて自己紹介情報を送出する場合の処理シーケンスの一例を示す図
【図５】基地局ノードに接続した後に順次ＳｕｂＵｎｉｔ情報を検索していく場合の処理シーケンスの一例を示す図
【図６】無線端末がユーザーに表示するモニタ画面の一例を示す図
【図７】無線端末がユーザーに表示するモニタ画面の一例を示す図
【図８】基地局ノードの内部構成の一例を示すブロック図
【図９】無線端末の内部構成の一例を示すブロック図
【図１０】本発明の第２の実施形態に係る家庭内ネットワークの一例を示す図
【図１１】無線端末やＩＥＥＥ１３９４バス上のノードが認識するネットワーク構成の一例を示す図
【図１２】無線端末やＩＥＥＥ１３９４バス上のノードが認識するネットワーク構成の一例を示す図
【図１３】無線端末が各無線１３９４ノード内のＳｕｂＵｎｉｔ情報の開示を要求する場合の処理シーケンスの一例を示す図
【図１４】無線端末自身の制御画面からユーザーが能動的に所望のＳｕｂＵｎｉｔを検索する場合の処理シーケンスの一例を示す図
【図１５】無線ネットワーク上を転送されるパケットのパケットフォーマットの一例を示す図
【図１６】無線ネットワーク上を転送されるパケットのパケットフォーマットの一例を示す図
【図１７】無線端末がユーザーに表示するモニタ画面の一例を示す図
【図１８】無線端末がユーザーに表示するモニタ画面の一例を示す図
【図１９】無線１３９４ノードの内部構成の一例を示すブロック図
【図２０】無線端末の内部構成の一例を示すブロック図
【図２１】本発明の第３の実施形態に係る家庭内ネットワークの一例を示す図
【図２２】無線端末が認識するネットワーク構成の一例を示す図
【図２３】無線端末がＩＥＥＥ１３９４バス上の１３９４機器に制御コマンドを送信する場合の処理シーケンスの一例を示す図
【図２４】基地局ノードの内部構成の一例を示すブロック図
【符号の説明】
１０，２０，３０，４０，５０，６０…ＩＥＥＥ１３９４バス
１０１，１０２，９０１，９０２，１７０１，１７０２…１３９４ノード
１１０，１２０，１７１０，１７２０…基地局ノード
１３０，９３０…無線端末
９１０，９２０，１７３０…無線１３９４ノード
１７０３…ＶＴＲ
１７０４…ＤＶＤ
７０１，１５０１，２００１…無線インタフェース処理部
７０２，１５０２，２００２…パケット変換処理部
７０３，２００３…無線端末接続処理部
７０４，２００４…基地局ノード内ＳｕｂＵｎｉｔ情報作成部
７０５，２００５…ＳｕｂＵｎｉｔ情報要求処理部
７０６，１５０５，２００６…無線端末内ＳｕｂＵｎｉｔ情報収集部
７０７，１５０６…ＳｕｂＵｎｉｔ情報収集部
７０８，１５０７，２００８…ルーティングテーブル
７０９，１５０８，２００９…ＩＥＥＥ１３９４バスインタフェース処理部
１５０３…ＳｕｂＵｎｉｔ情報／制御情報要求処理部
１５０４…無線１３９４ノード内ＳｕｂＵｎｉｔ情報作成部
２００７…レジストリ情報収集部
８０１，１６０１…無線インタフェース処理部
８０２，１６０２…アプリケーション実行部
８０３…基地局情報収集／管理部
８０４，１６０４…ユーザーインタフェース処理部
８０５，１６０５…画像データ受信処理部
８０６，１６０６…モニタ
１６０３…無線１３９４ノード情報収集／管理部
【図１】
0003576004.tif 000002
【図２】
0003576004.tif 000003
【図３】
0003576004.tif 000004
【図４】
0003576004.tif 000005
【図５】
0003576004.tif 000006
【図６】
0003576004.tif 000007
【図７】
0003576004.tif 000008
【図８】
0003576004.tif 000009
【図９】
0003576004.tif 000010
【図１０】
0003576004.tif 000011
【図１１】
0003576004.tif 000012
【図１２】
0003576004.tif 000013
【図１３】
0003576004.tif 000014
【図１４】
0003576004.tif 000015
【図１５】
0003576004.tif 000016
【図１６】
0003576004.tif 000017
【図１７】
0003576004.tif 000018
【図１８】
0003576004.tif 000019
【図１９】
0003576004.tif 000020
【図２０】
0003576004.tif 000021
【図２１】
0003576004.tif 000022
【図２２】
0003576004.tif 000023
【図２３】
0003576004.tif 000024
【図２４】
0003576004.tif 000025